(57)【特許請求の範囲】
【請求項１】
ワイヤレスデバイスにおける通信の方法であって、
第１の圧縮モードを利用する第１の無線アクセス技術（ＲＡＴ）の第１のワイヤレス接続を介した送信のために第１のデータパケットを選択することと、
前記第１の圧縮モードを利用する前記第１のワイヤレス接続を介して前記第１のデータパケットを送信することと、ここにおいて、前記第１の圧縮モードは、前記第１のデータパケットを圧縮することおよび前記第１のデータパケットに少なくとも部分的に基づいてバッファを更新することを備える、
第２の圧縮モードを利用する第２のＲＡＴの第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づき、ここにおいて、前記第２のＲＡＴは、前記第１のＲＡＴとは異なり、前記第２の圧縮モードは、前記更新されたバッファに少なくとも部分的に基づいて前記第２のデータパケットを圧縮することおよび前記第２のデータパケットに基づいて前記バッファを更新することを控えることを備える、
前記第２の圧縮モードを利用する前記第２のワイヤレス接続を介して前記第２のデータパケットを送信することと
を備える、方法。
【請求項２】
前記第１のワイヤレス接続が、ＬＴＥ接続であり、前記第２のワイヤレス接続が、Ｗｉ−Ｆｉ接続である、請求項１に記載の方法。
【請求項３】
前記第１の圧縮モードを利用する前記第１のワイヤレス接続を介した送信のために第３のデータパケットを選択することと、
前記更新されたバッファと前記第２のデータパケットに基づいて前記バッファを更新することを前記控えることとに少なくとも部分的に基づいて前記第１の圧縮モードに従って前記第３のデータパケットを圧縮することと
をさらに備える、請求項１に記載の方法。
【請求項４】
前記第２の圧縮モードが、ヘッダ圧縮モードまたはヘッダ＋ペイロード圧縮モードを備える、請求項１に記載の方法。
【請求項５】
前記第２のデータパケットに対応するバッファ更新バイパス指示を送信すること
をさらに備える、請求項１に記載の方法。
【請求項６】
前記第２のデータパケットを選択することが、圧縮データパケットと非圧縮データパケットとの比率に少なくとも部分的に基づく
をさらに備える、請求項１に記載の方法。
【請求項７】
前記第１のデータパケットの圧縮ヘッダ中のパケットタイプフィールド中に前記第１の圧縮モードを示すこと
をさらに備える、請求項１に記載の方法。
【請求項８】
前記第２のデータパケットの圧縮ヘッダ中のパケットタイプフィールド中に前記第２の圧縮モードを示すこと
をさらに備える、請求項１に記載の方法。
【請求項９】
前記第１の圧縮モードを利用する前記第１のワイヤレス接続を介して第３のデータパケットを送信することと、
前記第３のデータパケットのシリアル番号を示す損失パケットメッセージを受信することと、
パケットデータコンバージェンスプロトコル（ＰＤＣＰ）を使用して前記損失パケットメッセージに少なくとも部分的に基づいて前記第３のデータパケットを再送信することと
をさらに備える、請求項１に記載の方法。
【請求項１０】
前記第２のデータパケットについて失敗条件が満たされたと決定することと、
前記失敗条件が満たされたという前記決定に少なくとも部分的に基づいて前記第１のワイヤレス接続を介して前記第２のデータパケットを送信することと
をさらに備える、請求項１に記載の方法。
【請求項１１】
前記失敗条件が、
タイムアウトタイマ、
前記第２のデータパケットのシーケンス番号よりも大きいシーケンス番号をもつ前記第１のワイヤレス接続を介して送信されるいくつかのパケット、
のうちの１つを備える、請求項１０に記載の方法。
【請求項１２】
ワイヤレスデバイスにおける通信の方法であって、
第１の無線アクセス技術（ＲＡＴ）を利用する送信機との第１のワイヤレス接続を確立することと、
前記第１のＲＡＴとは異なるＲＡＴを利用する前記送信機との第２のワイヤレス接続を確立することと、ここにおいて、前記第２のワイヤレス接続が、前記第１のワイヤレス接続よりも信頼できない、
データパケットを圧縮することおよび第１のデータパケットに少なくとも部分的に基づいてバッファを更新することを含む第１の圧縮モードを利用する前記第１のワイヤレス接続を介して前記送信機から前記第１のデータパケットを受信することと、
前記更新されたバッファに少なくとも部分的に基づいてデータパケットを圧縮することおよび第２のデータパケットに基づいて前記バッファを更新することを控えることを含む第２の圧縮モードを利用する前記第２のワイヤレス接続を介して前記送信機から前記第２のデータパケットを受信することと、ここにおいて、前記第２の圧縮モードは、前記第２のワイヤレス接続が前記第１のワイヤレス接続よりも信頼できないことに少なくとも部分的に基づく、
を備える、方法。
【請求項１３】
前記第１の圧縮モードに従って前記第１のデータパケットを圧縮解除することと、
前記更新されたバッファに少なくとも部分的に基づいて前記第２のデータパケットを圧縮解除することと、
前記第１の圧縮モードに基づいて第３のデータパケットを受信することと、
前記更新されたバッファと前記第２のデータパケットに基づいて前記バッファを更新することを前記控えることとに少なくとも部分的に基づいて前記第１の圧縮モードに従って前記第３のデータパケットを圧縮解除することと
をさらに備える、請求項１２に記載の方法。
【請求項１４】
ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の圧縮モードを利用する第１の無線アクセス技術（ＲＡＴ）の第１のワイヤレス接続を介した送信のために第１のデータパケットを選択することと、
前記第１の圧縮モードを利用する前記第１のワイヤレス接続を介して前記第１のデータパケットを送信することと、ここにおいて、前記第１の圧縮モードは、前記第１のデータパケットを圧縮することおよび前記第１のデータパケットに少なくとも部分的に基づいてバッファを更新することを備える、
第２の圧縮モードを利用する第２のＲＡＴの第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づき、ここにおいて、前記第２のＲＡＴは、前記第１のＲＡＴとは異なり、前記第２の圧縮モードは、前記更新されたバッファに少なくとも部分的に基づいて前記第２のデータパケットを圧縮することおよび前記第２のデータパケットに基づいて前記バッファを更新することを控えることを備える、
前記第２の圧縮モードを利用する前記第２のワイヤレス接続を介して前記第２のデータパケットを送信することと
を行うために実行可能である、
を備える、装置。
【請求項１５】
ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の無線アクセス技術（ＲＡＴ）を利用する送信機との第１のワイヤレス接続を確立することと、
前記第１のＲＡＴとは異なるＲＡＴを利用する前記送信機との第２のワイヤレス接続を確立することと、ここにおいて、前記第２のワイヤレス接続が、前記第１のワイヤレス接続よりも信頼できない、
データパケットを圧縮することおよび第１のデータパケットに少なくとも部分的に基づいてバッファを更新することを含む第１の圧縮モードを利用する前記第１のワイヤレス接続を介して前記送信機から前記第１のデータパケットを受信することと、
前記更新されたバッファに少なくとも部分的に基づいてデータパケットを圧縮することおよび第２のデータパケットに基づいて前記バッファを更新することを控えることを含む第２の圧縮モードを利用する前記第２のワイヤレス接続を介して前記送信機から前記第２のデータパケットを受信することと、ここにおいて、前記第２の圧縮モードは、前記第２のワイヤレス接続が前記第１のワイヤレス接続よりも信頼できないことに少なくとも部分的に基づく、
を行うために実行可能である、
を備える、装置。
【発明の詳細な説明】
【技術分野】
【０００１】
相互参照
[0001]  本特許出願は、各々が本出願の譲受人に譲渡された、２０１５年１１月９日に出願された、「Ｅｖｏｌｖｅｄ  Ｄａｔａ  Ｃｏｍｐｒｅｓｓｉｏｎ  Ｓｃｈｅｍｅ  ｆｏｒ  Ｕｎｒｅｌｉａｂｌｅ  Ｔｒａｎｓｍｉｓｓｉｏｎ  Ｍｏｄｅｓ」と題するＡｈｍａｄｚａｄｅｈらによる米国特許出願番号第１４／９３６，５０６号、および２０１４年１１月１４日に出願された、「Ｅｖｏｌｖｅｄ  Ｄａｔａ  Ｃｏｍｐｒｅｓｓｉｏｎ  Ｓｃｈｅｍｅ  ｆｏｒ  Ｕｎｒｅｌｉａｂｌｅ  Ｔｒａｎｓｍｉｓｓｉｏｎ  Ｍｏｄｅｓ」と題するＡｈｍａｄｚａｄｅｈらによる米国仮特許出願番号第６２／０８０，２０４号の優先権を主張する。
【０００２】
[0002]  本開示は、たとえば、ワイヤレス通信（wireless communication）に関し、より詳細には、信頼できない送信モード（unreliable transmission mode）のための発展型データ圧縮方式（evolved data compression scheme）に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]  例として、ワイヤレス多元接続通信システムは、場合によってはユーザ機器（ＵＥ：user equipment）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００５】
[0005]  場合によっては、ＵＥは、直接と、Ｗｉ−Ｆｉ（登録商標）ネットワークを通してなどのあまり信頼できない接続（unreliable connection）を介してとの両方で基地局と通信し得る。圧縮パケット（compressed packet）が両方の接続を介して送られ、信頼できないネットワークを介して送られたパケットが失われる場合、ＵＥは、後続のパケットを効率的に圧縮解除（decompress）することができないことがある。たとえば、圧縮解除アルゴリズムは、損失パケット（lost packet）中のデータを参照し得る。これは、遅延（delay）またはＵＥのためのサービス中断（service disruption）を生じ得る。
【発明の概要】
【０００６】
[0006]  本開示は、たとえば、ワイヤレス通信システムに関し、より詳細には、信頼できない送信モードのための発展型データ圧縮方式のための改善されたシステム、方法、または装置に関する。基地局などの送信デバイスは、直接接続（direct connection）の信頼性（reliability）に基づいてデータ圧縮（data compression）を使用した受信デバイスへの直接送信（direct transmission）のためにいくつかのパケットを選択し得る。送信デバイスは、圧縮バッファ（compression buffer）を更新（update）するために使用されないであろう非圧縮パケット（uncompressed packet）または圧縮パケットを使用した信頼できない接続を介した間接的送信（indirect transmission）のために他のパケットを選択し得る。場合によっては、非圧縮パケットも、信頼できる接続（reliable connection）を介して送られ得る。信頼できない接続を介して送られるパケットは、失われる場合、信頼できる接続を介して送信され得る。
【０００７】
[0007]  デバイスにおけるワイヤレス通信の方法について説明する。本方法は、第１の圧縮モード（first compression mode）を利用する第１のワイヤレス接続（first wireless connection）を介した送信のために第１のデータパケット（first data packet）を選択することと、第１の圧縮モードを利用する第１のワイヤレス接続を介して第１のデータパケットを送信することと、第２の圧縮モード（second compression mode）を利用する第２のワイヤレス接続（second wireless connection）を介した送信のために第２のデータパケット（second data packet）を選択することと、ここにおいて、第２のデータパケットを選択することは、第２のワイヤレス接続が第１のワイヤレス接続よりも信頼できないことに少なくとも部分的に基づく、第２の圧縮モードを利用する第２のワイヤレス接続を介して第２のデータパケットを送信することとを含み得る。
【０００８】
[0008]  デバイスにおけるワイヤレス通信のための装置について説明する。本装置は、第１の圧縮モードを利用する第１のワイヤレス接続を介した送信のために第１のデータパケットを選択するための手段と、第１の圧縮モードを利用する第１のワイヤレス接続を介して第１のデータパケットを送信するための手段と、第２の圧縮モードを利用する第２のワイヤレス接続を介した送信のために第２のデータパケットを選択するための手段と、ここにおいて、第２のデータパケットを選択することは、第２のワイヤレス接続が第１のワイヤレス接続よりも信頼できないことに少なくとも部分的に基づく、第２の圧縮モードを利用する第２のワイヤレス接続を介して第２のデータパケットを送信するための手段とを含み得る。
【０００９】
[0009]  デバイスにおけるワイヤレス通信のためのさらなる装置について説明する。本装置は、プロセッサ、プロセッサと電子通信しているメモリと、メモリ中に記憶された命令と、ここにおいて、命令は、プロセッサによって、第１の圧縮モードを利用する第１のワイヤレス接続を介した送信のために第１のデータパケットを選択することと、第１の圧縮モードを利用する第１のワイヤレス接続を介して第１のデータパケットを送信することと、第２の圧縮モードを利用する第２のワイヤレス接続を介した送信のために第２のデータパケットを選択することと、ここにおいて、第２のデータパケットを選択することは、第２のワイヤレス接続が第１のワイヤレス接続よりも信頼できないことに少なくとも部分的に基づく、第２の圧縮モードを利用する第２のワイヤレス接続を介して第２のデータパケットを送信することとを行うために実行可能である、を含み得る。
【００１０】
[0010]  デバイスにおけるワイヤレス通信のためのコード（code）を記憶する非一時的コンピュータ可読媒体（non-transitory computer-readable medium）について説明する。コードは、第１の圧縮モードを利用する第１のワイヤレス接続を介した送信のために第１のデータパケットを選択することと、第１の圧縮モードを利用する第１のワイヤレス接続を介して第１のデータパケットを送信することと、第２の圧縮モードを利用する第２のワイヤレス接続を介した送信のために第２のデータパケットを選択することと、ここにおいて、第２のデータパケットを選択することは、第２のワイヤレス接続が第１のワイヤレス接続よりも信頼できないことに少なくとも部分的に基づく、第２の圧縮モードを利用する第２のワイヤレス接続を介して第２のデータパケットを送信することとを行うために実行可能である命令を含み得る。
【００１１】
[0011]  上記で説明した方法、装置、または非一時的コンピュータ可読媒体のいくつかの例では、第１の圧縮モードは、データパケットを圧縮する（compress）ことを備え、第２の圧縮モードは、非圧縮データパケット（uncompressed data packet）を送信することを備える。追加または代替として、いくつかの例は、第１の圧縮モードに従って第１のデータパケットを圧縮することと、第２の圧縮モードに従って非圧縮形態（uncompressed form）で第２のデータパケットを送信することとを行うためのプロセス、特徴、手段、または命令を含み得る。いくつかの例では、第１のワイヤレス接続は、ＬＴＥ接続であり、第２のワイヤレス接続は、Ｗｉ−Ｆｉ接続である。
【００１２】
[0012]  上記で説明した方法、装置、または非一時的コンピュータ可読媒体のいくつかの例では、第１の圧縮モードは、データパケットを圧縮することと、バッファを更新することとを備え、第２の圧縮モードは、データパケットを圧縮することと、バッファを更新することを控える（refrain）こととを備える。追加または代替として、いくつかの例は、第１の圧縮モードに従って第１のデータパケットを圧縮することと、第１のデータパケットに少なくとも部分的に基づいてバッファを更新することと、更新されたバッファ（updated buffer）に少なくとも部分的に基づいて第２の圧縮モードに従って第２のデータパケットを圧縮することと、第２のデータパケットに基づいてバッファを更新することを控えることと、第１の圧縮モードを利用する第１のワイヤレス接続を介した送信のために第３のデータパケットを選択することと、更新されたバッファと第２のデータパケットに基づいてバッファを更新することを控えることとに少なくとも部分的に基づいて第１の圧縮モードに従って第３のデータパケットを圧縮することとを行うためのプロセス、特徴、手段、または命令を含み得る。
【００１３】
[0013]  上記で説明した方法、装置、または非一時的コンピュータ可読媒体のいくつかの例では、第２の圧縮モードは、ヘッダ圧縮モード（header compression mode）またはヘッダ＋ペイロード圧縮モード（header plus payload compression mode）を備える。追加または代替として、いくつかの例は、第２のデータパケットに対応するバッファ更新バイパス指示（buffer update bypass indication）を送信することを行うためのプロセス、特徴、手段、または命令を含み得る。
【００１４】
[0014]  上記で説明した方法、装置、または非一時的コンピュータ可読媒体のいくつかの例は、第２の圧縮モードを利用する第１のワイヤレス接続を介して第３のデータパケットを送信することを行うためのプロセス、特徴、手段、または命令をさらに含み得る。追加または代替として、いくつかの例は、第２のデータパケットを選択することが、圧縮データパケットと非圧縮データパケットとの比率（ratio of compressed and uncompressed data packets）に少なくとも部分的に基づくプロセス、特徴、手段、または命令を含み得る。
【００１５】
[0015]  上記で説明した方法、装置、または非一時的コンピュータ可読媒体のいくつかの例は、第１のデータパケットの圧縮ヘッダ（compression header）中のパケットタイプフィールド（packet type field）中に第１の圧縮モードを示すことを行うためのプロセス、特徴、手段、または命令をさらに含み得る。追加または代替として、いくつかの例は、第２のデータパケットの圧縮ヘッダ中のパケットタイプフィールド中に第２の圧縮モードを示すことを行うためのプロセス、特徴、手段、または命令を含み得る。
【００１６】
[0016]  上記で説明した方法、装置、または非一時的コンピュータ可読媒体のいくつかの例は、第１の圧縮モードを利用する第１のワイヤレス接続を介して第３のデータパケットを送信することと、第３のデータパケットのシリアル番号（serial number）を示す損失パケットを受信することと、パケットデータコンバージェンスプロトコル（ＰＤＣＰ：packet data convergence protocol）を使用して損失パケットメッセージ（lost packet message）に少なくとも部分的に基づいて第３のデータパケットを再送信する（retransmit）こととを行うためのプロセス、特徴、手段、または命令をさらに含み得る。追加または代替として、いくつかの例は、第２のデータパケットについて失敗条件（failure condition）が満たされたと決定することと、失敗条件が満たされたという決定に少なくとも部分的に基づいて第１のワイヤレス接続を介して第２のデータパケットを送信することとを行うためのプロセス、特徴、手段、または命令を含み得る。
【００１７】
[0017]  上記で説明した方法、装置、または非一時的コンピュータ可読媒体のいくつかの例では、失敗条件がタイムアウトタイマ（time-out timer）を備える。追加または代替として、いくつかの例では、失敗条件は、第２のデータパケットのシーケンス番号（sequence number）よりも大きいシーケンス番号をもつ第１のワイヤレス接続を介して送信されるいくつかのパケットを備える。
【００１８】
[0018]  デバイスにおけるワイヤレス通信の方法について説明する。本方法は、送信機との第１のワイヤレス接続を確立することと、送信機との第２のワイヤレス接続を確立することと、ここにおいて、第２のワイヤレス接続が、第１のワイヤレス接続よりも信頼できない、第１の圧縮モードを利用する第１のワイヤレス接続を介して送信機から第１のデータパケットを受信することと、第２の圧縮モードを利用する第２のワイヤレス接続を介して送信機から第２のデータパケットを受信することと、ここにおいて、第２の圧縮モードは、第２のワイヤレス接続が第１のワイヤレス接続よりも信頼できないことに少なくとも部分的に基づく、を含み得る。
【００１９】
[0019]  デバイスにおけるワイヤレス通信のための装置について説明する。本装置は、送信機との第１のワイヤレス接続を確立するための手段と、送信機との第２のワイヤレス接続を確立するための手段と、ここにおいて、第２のワイヤレス接続が、第１のワイヤレス接続よりも信頼できない、第１の圧縮モードを利用する第１のワイヤレス接続を介して送信機から第１のデータパケットを受信するための手段と、第２の圧縮モードを利用する第２のワイヤレス接続を介して送信機から第２のデータパケットを受信するための手段と、ここにおいて、第２の圧縮モードは、第２のワイヤレス接続が第１のワイヤレス接続よりも信頼できないことに少なくとも部分的に基づく、を含み得る。
【００２０】
[0020]  デバイスにおけるワイヤレス通信のためのさらなる装置について説明する。本装置は、プロセッサと、プロセッサと電子通信しているメモリと、メモリ中に記憶された命令と、ここにおいて、命令は、プロセッサによって、送信機との第１のワイヤレス接続を確立することと、送信機との第２のワイヤレス接続を確立することと、ここにおいて、第２のワイヤレス接続が、第１のワイヤレス接続よりも信頼できない、第１の圧縮モードを利用する第１のワイヤレス接続を介して送信機から第１のデータパケットを受信することと、第２の圧縮モードを利用する第２のワイヤレス接続を介して送信機から第２のデータパケットを受信することと、ここにおいて、第２の圧縮モードは、第２のワイヤレス接続が第１のワイヤレス接続よりも信頼できないことに少なくとも部分的に基づく、を行うために実行可能である、を含み得る。
【００２１】
[0021]  デバイスにおけるワイヤレス通信のためのコードを記憶する非一時的コンピュータ可読媒体について説明する。コードは、送信機との第１のワイヤレス接続を確立することと、送信機との第２のワイヤレス接続を確立することと、ここにおいて、第２のワイヤレス接続が、第１のワイヤレス接続よりも信頼できない、第１の圧縮モードを利用する第１のワイヤレス接続を介して送信機から第１のデータパケットを受信することと、第２の圧縮モードを利用する第２のワイヤレス接続を介して送信機から第２のデータパケットを受信することと、ここにおいて、第２の圧縮モードは、第２のワイヤレス接続が第１のワイヤレス接続よりも信頼できないことに少なくとも部分的に基づく、を行うために実行可能である命令を含み得る。
【００２２】
[0022]  上記で説明した方法、装置、または非一時的コンピュータ可読媒体のいくつかの例では、第１の圧縮モードは、データパケットを圧縮することを備え、第２の圧縮モードは、非圧縮データパケットを送信することを備える。追加または代替として、いくつかの例では、第１のデータパケットは圧縮され、第２のデータパケットは圧縮されておらず、第１のデータパケットを圧縮解除すること、第２のデータパケットを受信することは、非圧縮形態で第２のデータパケットを受信することを備える。いくつかの例では、第１のワイヤレス接続は、ＬＴＥ接続であり、第２のワイヤレス接続は、Ｗｉ−Ｆｉ接続である。
【００２３】
[0023]  上記で説明した方法、装置、または非一時的コンピュータ可読媒体のいくつかの例では、第１の圧縮モードは、データパケットを圧縮することとバッファを更新することとを備え、第２の圧縮モードは、データパケットを圧縮することと、バッファを更新することを控えることとを備える。追加または代替として、いくつかの例は、第１の圧縮モードに従って第１のデータパケットを圧縮解除することと、第１のデータパケットに少なくとも部分的に基づいてバッファを更新することと、更新されたバッファに少なくとも部分的に基づいて第２のデータパケットを圧縮解除することと、第２のデータパケットに基づいてバッファを更新することを控えることと、第１の圧縮モードに基づいて第３のデータパケットを受信することと、更新されたバッファと第２のデータパケットに基づいてバッファを更新することを控えることとに少なくとも部分的に基づいて第１の圧縮モードに従って第３のデータパケットを圧縮解除することとを行うためのプロセス、特徴、手段、または命令を含み得る。
【００２４】
[0024]  上記で説明した方法、装置、または非一時的コンピュータ可読媒体のいくつかの例では、第２の圧縮モードは、ヘッダ圧縮モードまたはヘッダ＋ペイロード圧縮モードを備える。追加または代替として、いくつかの例は、さらに、第２の圧縮モードを利用する第１のワイヤレス接続を介して第３のデータパケットを受信することを行うためのプロセス、特徴、手段、または命令を含み得る。
【００２５】
[0025]  上記で説明した方法、装置、または非一時的コンピュータ可読媒体のいくつかの例は、第１のデータパケットの圧縮ヘッダ中のパケットタイプフィールドに少なくとも部分的に基づいて第１の圧縮モードを識別することを行うためのプロセス、特徴、手段、または命令をさらに含み得る。追加または代替として、いくつかの例は、第２のデータパケットの圧縮ヘッダ中のパケットタイプフィールドに少なくとも部分的に基づいて第２の圧縮モードを識別することを行うためのプロセス、特徴、手段、または命令を含み得る。
【００２６】
[0026]  上記で説明した方法、装置、または非一時的コンピュータ可読媒体のいくつかの例は、第３のデータパケットが失われたと決定することと、第３のデータパケットのシリアル番号を示す損失パケットメッセージをアクセスネットワーク（access network）に送信することと、ＰＤＣＰを使用して損失パケットメッセージに少なくとも部分的に基づいて第３のデータパケットに対応する再送信を受信することとを行うためのプロセス、特徴、手段、または命令をさらに含み得る。
【００２７】
[0027]  上記では、以下の発明を実施するための形態がより良く理解され得るように、本開示による例の特徴および技術的利点をかなり広く概説した。追加の特徴および利点が以下で説明される。開示する概念および具体例は、本開示の同じ目的を実施するための他の構造を修正または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明のみのために与えられ、特許請求の範囲の限定の定義として与えられるものではない。
【００２８】
[0028]  本開示の性質および利点のより一層の理解は、以下の図面を参照することによって実現され得る。添付の図では、同様の構成要素または特徴は、同一の参照符号を有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２９】
【図１】[0029]  本開示の様々な態様による、信頼できない送信モードのための発展型データ圧縮方式のためのワイヤレス通信システムの一例を示す図。
【図２】[0030]  本開示の様々な態様による、信頼できない送信モードのための発展型データ圧縮方式のためのワイヤレス通信サブシステムの一例を示す図。
【図３】[0031]  本開示の様々な態様による、信頼できない送信モードのための発展型データ圧縮方式のためのデータ圧縮バッファプロセスの一例を示す図。
【図４】[0032]  本開示の様々な態様による、信頼できない送信モードのための発展型データ圧縮方式のためのプロセスフローの一例を示す図。
【図５】[0033]  本開示の様々な態様による、信頼できない送信モードのための発展型データ圧縮方式のために構成されたワイヤレスデバイスのブロック図。
【図６】[0034]  本開示の様々な態様による、信頼できない送信モードのための発展型データ圧縮方式のために構成されたワイヤレスデバイスのブロック図。
【図７】[0035]  本開示の様々な態様による、信頼できない送信モードのための発展型データ圧縮方式のために構成された発展型データ圧縮構成要素のブロック図。
【図８】[0036]  本開示の様々な態様による、信頼できない送信モードのための発展型データ圧縮方式のために構成されたＵＥを含むシステムのブロック図。
【図９】[0037]  本開示の様々な態様による、信頼できない送信モードのための発展型データ圧縮方式のために構成された基地局を含むシステムのブロック図。
【図１０】[0038]  本開示の様々な態様による、信頼できない送信モードのための発展型データ圧縮方式のための方法を示すフローチャート。
【図１１】[0039]  本開示の様々な態様による、信頼できない送信モードのための発展型データ圧縮方式のための方法を示すフローチャート。
【図１２】[0040]  本開示の様々な態様による、信頼できない送信モードのための発展型データ圧縮方式のための方法を示すフローチャート。
【図１３】[0041]  本開示の様々な態様による、信頼できない送信モードのための発展型データ圧縮方式のための方法を示すフローチャート。
【図１４】[0042]  本開示の様々な態様による、信頼できない送信モードのための発展型データ圧縮方式のための方法を示すフローチャート。
【図１５】[0043]  本開示の様々な態様による、信頼できない送信モードのための発展型データ圧縮方式のための方法を示すフローチャート。
【発明を実施するための形態】
【００３０】
[0044]  本開示は、たとえば、信頼できない送信モードのための発展型データ圧縮方式のための改善されたシステム、方法、または装置に関する。高速パケットアクセス（ＨＳＰＡ：high speed packet access）システムにおいてなど、いくつかのワイヤレス通信方式では、データ圧縮は、帯域幅を増加させるために使用され得る。データ圧縮は、ヘッダ圧縮、ペイロード圧縮、またはその両方を含み得る。データの圧縮は、パケットデータコンバージェンスプロトコルレイヤ（ＰＤＣＰ）を含む通信システム内の様々なレイヤにおいて起こり得る。さらに、データの圧縮は、基地局ならびにユーザ機器（ＵＥ）において実行され得る。いくつかの例では、パケットヘッダおよびペイロードの圧縮は、以前に送信されたパケットに基づき得る。データ圧縮を採用するワイヤレスシステムは、（たとえば、より高い帯域幅と使用数の増加に適応することによる）システム容量の増加、より速いデータ交換（たとえば、より高速のウェブページダウンロード）、（たとえば、セッション開始プロトコル（ＳＩＰ：session initiation protocol）手順のためのセルエッジシナリオ中の）呼セットアップの改善、およびＵＥ送信出力の利益を受け得る。
【００３１】
[0045]  レガシー圧縮アルゴリズム（legacy compression algorithms）は、送信機と受信機との間の圧縮バッファ同時性を維持するためにすべての圧縮パケットの信頼できる順序配信（in-sequence delivery）に基づき得る。単一接続ＬＴＥ構成では、受信機に到着する各パケットは、ＰＤＣＰレイヤに配信され得、これは、無線リンク制御（ＲＬＣ：radio link control）レイヤなどの下位レイヤへのパケットの順序配信を担当し得る。ＲＬＣ確認応答モード（ＡＭ：acknowledged mode）送信は、次いで、すべての送信パケットの順序配信を保証し得る。しかしながら、ＲＬＣ非確認応答モード（ＵＭ：unacknowledged mode）は、そのような保証が欠如していることがある。レガシー圧縮技法は、そのような構成に適していないことがある。
【００３２】
[0046]  ＬＴＥと信頼できない無線アクセス技術（ＲＡＴ：radio access technology）（たとえば、Ｗｉ−Ｆｉ）との組合せは、同じ問題を起こしやすい。信頼できないＲＡＴを介して送信されるパケットはドロップされることがあり、これは、送信機と受信機との間のバッファ同期を中断させ得る。信頼できないＲＡＴを扱うために、圧縮アルゴリズム圧縮モードが拡張され得る。一代替では、圧縮は、信頼できないＲＡＴを介して送られたパケットのためのバッファ更新なしで実施され得る。これは、ヘッダのみの圧縮とヘッダ＋ペイロード圧縮との両方のために使用され得る。このモードでは、圧縮は、圧縮バッファを使用して実行されるが、パケットコンテンツは、圧縮バッファを更新するために使用されない。したがって、パケットが、失われるか、順序外れに到着する場合、送信機と受信機との間の同期は失われないことがある。これは、各受信パケットがバッファを更新する信頼できるＲＡＴ（たとえば、ＬＴＥ）のために使用される圧縮モードとは異なり得る。圧縮モードは、圧縮ヘッダ中のパケットタイプフィールドを使用して受信機に通信され得る。別の代替では、圧縮パケットは、信頼できるＲＡＴを介して送られ得、非圧縮パケットは、信頼できないＲＡＴを介して送られ得る。
【００３３】
[0047]  以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜、様々な手順または構成要素を省略、置換、または追加し得る。たとえば、説明される方法は、説明される順序とは異なる順序で実行され得、様々なステップが追加され、省略され、または組み合わされ得る。また、いくつかの例に関して説明される特徴は、他の例では組み合わされ得る。
【００３４】
[0048]  図１に、本開示の様々な態様による、信頼できない送信モードのための発展型データ圧縮方式のためのワイヤレス通信システム１００の一例を示す。ワイヤレス通信システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ：internet protocol）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いに通信し得る。
【００３５】
[0049]  基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３６】
[0050]  いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、基地局１０５を説明するために使用され得、一方、ＵＥという用語は、ＵＥ１１５を説明するために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル（cell）」という用語は、コンテキストに応じて、基地局、基地局に関連するキャリアもしくは構成要素、またはキャリアもしくは基地局のカバレージエリア（たとえば、セクタなど）を表すために使用され得る３ＧＰＰ（登録商標）用語である。
【００３７】
[0051]  マクロセルは、たとえば、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルとフェムトセルとマイクロセルとを含み得る。ピコセルは、たとえば、小さい地理的エリアをカバーし得、ネットワークプロバイダのサービスに加入しているＵＥ１１５による無制限アクセスを可能にし得る。また、フェムトセルは、小さい地理的エリア（たとえば、自宅）をカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３８】
[0052]  場合によっては、ワイヤレス通信システム１００は、カバレージエリア１１０が１つまたは複数のマクロ基地局１０５のカバレージエリア１１０と重複し得るスモールセルを含み得る。場合によっては、スモールセルは、高いユーザ需要をもつエリア中に、またはマクロ基地局１０５によって十分にカバーされていないエリア中に追加され得る。たとえば、スモールセルは、ショッピングセンターに、または信号送信が地形または建築物によってブロックされるエリアに位置し得る。場合によっては、スモールセルは、負荷が高いとき、マクロ基地局１０５がトラフィックをオフロード（offload）することを可能にすることによってネットワークパフォーマンスを改善し得る。ラージセルとスモールセルとの両方を含むネットワークは、異種ネットワーク（heterogeneous network）として知られ得る。異種ネットワークはまた、限定加入者グループ（ＣＳＧ）として知られる制限されたグループにサービスを提供し得るホームｅＮＢ（ＨｅＮＢ）を含み得る。たとえば、オフィスビルは、建築物の占有者のみが使用するためのスモールセルを含み得る。場合によっては、異種ネットワークは、同種ネットワークよりも複雑なネットワークプランニングおよび干渉緩和技法を伴い得る。
【００３９】
[0053]  場合によっては、ワイヤレス通信システム１００は、基地局１０５とＵＥ１１５との間の複数の接続を利用し得る。たとえば、基地局１０５は、ＵＥ１１５と直接通信し得るか、またはワイヤレスローカル（ＷＬＡＮ）エリアネットワーク（たとえば、Ｗｉ−Ｆｉ）を通して通信し得る。場合によっては、基地局１０５またはＵＥ１１５はまた、サードパーティＵＥ１１５を介して別のＵＥ１１５と通信し得る。
【００４０】
[0054]  ワイヤレス通信システム１００は同期動作または非同期動作をサポートし得る。同期動作の場合、基地局１０５は同様のフレームタイミングを有し得、異なる基地局１０５からの送信は近似的に時間的に整合され得る。非同期動作の場合、基地局１０５は異なるフレームタイミングを有し得、異なる基地局１０５からの送信は時間的に整合されないことがある。本明細書で説明する技法は、同期動作または非同期動作のいずれかのために使用され得る。
【００４１】
[0055]  様々な開示する例のうちのいくつかに適応し得る通信ネットワークは、階層化プロトコルスタックに従って動作するパケットベースネットワークであり得、ユーザプレーン中のデータは、ＩＰに基づき得る。無線リンク制御（ＲＬＣ：radio link control）レイヤが、論理チャネルを介して通信するためにパケットセグメンテーションおよびリアセンブリを実行し得る。媒体アクセス制御（ＭＡＣ：medium access control）レイヤが、優先度ハンドリングと、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ：radio resource control）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００４２】
[0056]  ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００４３】
[0057]  ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソースを使用して）または時分割複信（ＴＤＤ：time division duplex）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００４４】
[0058]  ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４５】
[0059]  ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４６】
[0060]  ワイヤレス通信システム１００は、上位レイヤ（たとえば、ＲＲＣおよびＰＤＣＰ）を下位レイヤ（たとえば、ＭＡＣレイヤ）に接続するＲＬＣレイヤを含み得る。基地局１０５またはＵＥ１１５中のＲＬＣエンティティは、送信パケットが（ＭＡＣレイヤトランスポートブロックサイズに対応する）適宜にサイズ決定されたブロックに編成されることを保証し得る。着信データパケット（すなわち、ＰＤＣＰまたはＲＲＣ  ＳＤＵ）が送信には大きすぎる場合、ＲＬＣレイヤは、それをいくつかのより小さいＲＬＣプロトコルデータユニット（ＰＤＵ：protocol data unit）にセグメント化し得る。着信パケットが小さすぎる場合、ＲＬＣレイヤは、それらのうちのいくつかを単一のより大きいＲＬＣ  ＰＤＵに連結し得る。各ＲＬＣ  ＰＤＵは、データをどのように再アセンブルするかに関する情報を含むヘッダを含み得る。ＲＬＣレイヤはまた、パケットが確実に送信されることを保証し得る。送信機は、インデックス付きＲＬＣ  ＰＤＵのバッファを保ち、それが対応するＡＣＫを受信するまで各ＰＤＵの再送信を継続し得る。場合によっては、送信機は、どのＰＤＵのものが受信されたのかを決定するためにポール要求（Poll Request）を送り、受信機は、ステータス報告で応答し得る。ＭＡＣレイヤＨＡＲＱとは異なり、ＲＬＣ  ＡＲＱは、前方誤り訂正機能（forward error correction function）を含まないことがある。ＲＬＣエンティティは、３つのモードのうちの１つで動作し得る。ＡＭ、ＵＭ、およびＴＭで動作し得る。ＡＭでは、ＲＬＣエンティティは、セグメント化／連結とＡＲＱとを実行し得る。このモードは、遅延耐性送信または誤り敏感送信に適していることがある。ＵＭでは、ＲＬＣエンティティは、セグメント化／連結を実行するが、ＡＲＱを実行しないことがある。これは、遅延敏感（delay sensitive）または誤り耐性（error tolerant）トラフィック（たとえば、ＶｏＬＴＥ）に適していることがある。ＴＭは、データバッファリングのみを実行し、連結／セグメント化またはＡＲＱのどちらも含まない。ＴＭは、ブロードキャスト制御情報（たとえば、ＭＩＢおよびＳＩＢ）と、ページングメッセージと、ＲＲＣ接続メッセージとを送るために主に使用され得る。いくつかの送信は、ＲＬＣ（たとえば、ＲＡＣＨプリアンブルおよび応答）なしに送られ得る。
【００４７】
[0061]  本開示によれば、基地局１０５などの送信デバイスは、直接接続の信頼性に基づいてデータ圧縮を使用したＵＥ１１５などの受信デバイスへの直接送信のためにいくつかのパケットを選択し得る。送信デバイスは、圧縮バッファを更新するために使用されないであろう非圧縮パケットまたは圧縮パケットを使用した信頼できない接続を介した間接的送信のために他のパケットを選択し得る。場合によっては、非圧縮パケットも、信頼できる接続を介して送られ得る。信頼できない接続を介して送られるパケットは、失われる場合、信頼できる接続を介して送信され得る。
【００４８】
[0062]  図２に、本開示の様々な態様による、信頼できない送信モードのための発展型データ圧縮方式のためのワイヤレス通信サブシステム２００の一例を示す。無線通信サブシステム２００は、コアネットワーク２３０と、基地局２０５と、ＵＥ２１５とを含み得、これらは、図１を参照しながら上記で説明したコアネットワーク１３０と、基地局１０５と、ＵＥ１１５との例であり得る。無線通信サブシステム２００はまた、信頼できないネットワークのための（たとえば、ＷＬＡＮのための）アクセスポイント（ＡＰ：access point）２０５を含み得る。基地局２０５とＡＰ２１０とは、コロケート（collocate）されることもコロケートされないこともある。ユーザデータは、ＬＴＥが信頼できるＲＡＴであり、Ｗｉ−Ｆｉが信頼できないＲＡＴであるときになど、いずれかのリンク（たとえば、ＬＴＥまたはＷｉ−Ｆｉ無線リンク）によってサービスされ得る。場合によっては、基地局２０５は、ＬＴＥとＷｉ−Ｆｉとの間でベアラ（bearer）を切り替える決定を行い得る。他の場合には、選択決定は、コアネットワーク２３０内で行われ得る。したがって、本開示によれば、「ワイヤレスデバイス（wireless device）」という用語は、基地局１０５、ＵＥ１１５、またはコアネットワーク１３０の構成要素などワイヤレス通信に関与する任意のデバイスに対応し得る。
【００４９】
[0063]  無線通信サブシステム２００に、基地局２０５とＵＥ２１５との間の発展型データ圧縮方式の一例を示す。たとえば、基地局２０５とＵＥ２１５との間の通信は、第１の通信リンク２２０を使用するなどによって、基地局２０５とＵＥ２１５との間で直接行われ得る 追加または代替として、基地局２０５とＵＥ２１５との間の通信は、別の中間エンティティ（たとえば、ＡＰ２１０）を伴い得る。たとえば、基地局２０５は、第２の通信リンク２２５を使用してＡＰ２１０と通信し得る。第２の通信リンク２２５は、ワイヤレスリンク、（たとえば、銅または光ファイバーケーブルなどのワイヤードバックホールを介した）ワイヤードリンク、またはその両方を含み得る。場合によっては、ＡＰ２１０は、（たとえば、トンネリングプロトコルに基づくリンクなどの直接または間接リンクであり得るＳ２ａまたはＳ２ｃインターフェースを介して）インターフェースリンク２１１を使用してコアネットワーク２３０と通信し得る。ＡＰ２１０は、さらに、第３の通信リンク２３５を使用してＵＥ２１５と通信し得る。通信リンク２１１、２２０、２２５、２３２、および２３５は、双方向通信リンクであり得る。場合によっては、基地局２０５は、図１を参照しながら上記で説明したバックホールリンク１３２または１３４の一例であり得るバックホールリンク２３２（たとえば、Ｓ１など）を通してコアネットワーク２３０とインターフェースし得る。第１の通信リンク２２０、第２の通信リンク２２５、または第３の通信リンク２３５は、図１を参照しながら上記で説明した通信リンク１２５あるいはバックホールリンク１３２または１３４の例であり得る。
【００５０】
[0064]  通信が、基地局２０５とＵＥ２１５との間で直接行われると、第１の圧縮モードが使用され得る。圧縮モードは、基地局２０５とＵＥ２１５とによって使用されるべき圧縮構成を含み得る。たとえば、圧縮モードは、特定の圧縮アルゴリズムおよびアルゴリズムバージョンまたはそれらの組合せを使用してパケットヘッダを圧縮し、パケットデータを圧縮し、パケットを圧縮しない構成を含み得る。追加または代替として、圧縮モードは、圧縮バッファ（たとえば、基地局圧縮バッファ、ＵＥ圧縮バッファなど）が更新されるべきであるか否かを示し得る。第１の圧縮モードは、パケットを圧縮することと、圧縮バッファを更新することとを含み得る。したがって、基地局２０５は、パケットを圧縮し、パケットからのデータでそれの圧縮バッファを更新し得る。圧縮パケットは、次いで、第１の通信リンク２２０を使用してＵＥ２１５に送信され得る。受信時に、ＵＥ２１５は、パケットを圧縮解除し、パケットからのデータでそれの圧縮バッファを更新し得る。場合によっては、最初のパケットは、少なくとも１つの圧縮バッファをポピュレート（populate）し、将来の圧縮を容易にするなどのために、圧縮モードにかかわらず圧縮されない。
【００５１】
[0065]  場合によっては、ＡＰ２１０、したがって、第２の通信リンク２２５と第３の通信リンク２３５とは、通信について第１の通信リンク２２０よりも信頼できないことがある。したがって、基地局２０５とＵＥ２１５との間の通信が、ＡＰ２１０と通信リンク２２５および２３５とを伴うとき、第２の圧縮モードが使用され得る。場合によっては、第２の圧縮モードは、パケットを圧縮することを含み、他の場合には、第２の圧縮モードは、パケットを圧縮しないことを含む。それが、データ圧縮を伴う場合、第２の圧縮モードは、第１の圧縮モードのいくつかの態様を利用し得、圧縮バッファを更新することを控えることを伴い得る。圧縮バッファをＡＰ２１０からのパケットで更新しないことによって、ワイヤレス通信サブシステム２００は、圧縮／圧縮解除誤り（compression/decompression error）を低減し得る。
【００５２】
[0066]  基地局２０５とＵＥ２１５との間で通信されるべきパケットごとに、第１の通信リンク２２０を使用して通信すべきかまたは第２の通信リンク２２５と第３の通信リンク２３５とを使用して通信すべきかの決定を行い得る。どの通信リンクを使用すべきかの決定は、第１の通信リンク２２０が第２の通信リンク２２５および第３の通信リンク２３５よりも信頼できることに基づき得る。たとえば、優先順位の高いパケットは、第１の通信リンク２２０を使用して通信され得、一方、優先順位の低いパケットは、第２の通信リンク２２５と第３の通信リンク２３５とを使用して通信され得る。場合によっては、使用すべき通信リンクを決定すると、ネットワーク状態、基地局能力、再送信試行の数、通信されるべきパケットのタイプ、帯域幅（たとえば、使用する帯域幅、利用可能な帯域幅など）、周波数スペクトル、電力レベルなど、他のファクタが使用され得る。
【００５３】
[0067]  たとえば、Ｗｉ−Ｆｉオフロードでは、ＷＬＡＮアクセスポイントが利用可能であるとき、トラフィックの一部または全部が、ＷＬＡＮアクセスポイントを通してルーティングされ、したがって、（たとえば、ＬＴＥネットワークを通して）直接セルラーアクセスからトラフィックをオフロードし得る。モバイル事業者は、どのトラフィックをＷＬＡＮを介してルーティングするのかと、どのトラフィックをＬＴＥ上に維持するのかとを制御し得る。たとえば、（たとえば、ＶｏＩＰまたは他の事業者のサービスに関係する）いくつかのＩＰフローは、それのサービス品質（ＱｏＳ）能力を活用するためにＬＴＥを介して維持され得、「ベストエフォート（best-effort）」インターネットトラフィックに関係するＩＰフローは、ＷＬＡＮ、すなわち、Ｗｉ−Ｆｉにオフロードされ得る。いくつかのワイヤレスシステム（たとえば、３ＧＰＰ  ＬＴＥ  Ｒｅｌ．８  Ｗｉ−Ｆｉモビリティフレームワークに基づくシステム）は、ワイヤレスワイドエリアネットワーク（ＷＷＡＮ）とＷＬＡＮとの間のシームレスなハンドオーバを可能にし得る。したがって、いくつかの態様によれば、ユーザは、ＬＴＥ  ｅＮＢなどの基地局１０５とＷｉ−Ｆｉ  ＡＰなどのＡＰ２１０とに同時に接続され得、これは、ユーザのシグナリングおよびデータトラフィックをトランスポートするための無線アクセスリンクを与え得る。
【００５４】
[0068]  図３に、本開示の様々な態様による、信頼できない送信モードのための発展型データ圧縮方式のためのデータ圧縮バッファプロセスの一例を示す。ワイヤレス通信システム３００は、図１または図２のうちの１つまたは複数を参照しながら上記で説明したＵＥ１１５またはＵＥ２１５の一例であり得るＵＥ３１５を含み得る。ワイヤレス通信システム３００はまた、図１または図２のうちの１つまたは複数を参照しながら上記で説明した基地局１０５または基地局２０５の一例であり得る基地局３０５を含み得る。ワイヤレス通信システム３００に、データが、第１の通信リンク３２０と、第２の通信リンク３２５と、第３の通信リンク３３５とを介して圧縮データパケットを使用して交換され得る、基地局３０５とＵＥ３１５との間の発展型データ圧縮方式の一例を示す。
【００５５】
[0069]  圧縮パケット通信の前に、基地局３０５は、（たとえば、データ圧縮技法を使用することによって）ＵＥ３１５と基地局３０５との間の通信を高めるために発展型データ圧縮方式を使用するようにＵＥ３１５を構成し得る。第１の圧縮モードに従って、非圧縮データパケット３１０（ｒ〜ｒ＋ｎ＋１）は、基地局３０５によって受信され、基地局圧縮バッファ３３０にパスされ得る。圧縮アルゴリズムは、圧縮データパケット３４０（ｐ〜ｐ＋ｎ＋１）を生成するために使用され得、これは、第１の通信リンク３２０を介してＵＥ３１５に送信され得る。ＵＥ３１５内で、圧縮データパケット３４０（ｐ〜ｐ＋ｎ＋１）は、基地局３０５から受信され、非圧縮データパケット３１０（ｒ〜ｒ＋ｎ＋１）に圧縮解除されて戻され、ＵＥ圧縮バッファ３５０を更新するために使用され得る。
【００５６】
[0070]  圧縮および圧縮解除は、現在のデータパケット中にシーケンス自体を含めるのではなく、前のパケットから圧縮バッファ中のデータシーケンスを参照することによって達成され得る。選択されたシーケンスなしにパケットに送ることによって圧縮が可能になる。したがって、現在受信されたパケットが、バッファによって以前に受信されたパケットから受信されたシーケンスで更新され得るので、効果的な参照（したがって、圧縮）は、基地局圧縮バッファ３３０とＵＥ圧縮バッファ３５０との同期に依拠し得る。同期が失われる場合、バッファは、以前に受信されたシーケンスを表すことに失敗することがあり、現在のパケットのデータシーケンスが復元されないことがある。したがって、送られた前のパケットに基づくパケットヘッダおよびペイロードの圧縮は、送信機と受信機との間の圧縮バッファ同時性を維持するために、圧縮パケットの信頼できる順序配信に依存し得る。
【００５７】
[0071]  第２の通信リンク３２５と第３の通信リンク３３５とを使用する第２の圧縮モードの一例によれば、非圧縮データパケット３１０（ｒ〜ｒ＋ｎ＋１）は、基地局３０５によって受信され、基地局圧縮バッファ３３０をバイパスし得る。圧縮アルゴリズムは、圧縮データパケット３４０（ｐ〜ｐ＋ｎ＋１）を生成するために使用され得、これは、第１の通信リンク３２０を介してＵＥ３１５に送信され得る。ＵＥ３１５内で、圧縮データパケット３４０（ｐ〜ｐ＋ｎ＋１）は、基地局３０５から受信され、非圧縮データパケット３１０（ｒ〜ｒ＋ｎ＋１）に圧縮解除されて戻され、ＵＥ圧縮バッファ３５０をバイパスし得る。後続のパケットの圧縮および圧縮解除は、バッファを更新するために使用されたパケットに依拠し、バッファ更新をバイパスするパケットに依拠しないことがある。ただし、バッファを更新するために使用されないパケットでも、バッファ中にすでにあるデータを使用して圧縮され、圧縮解除され得る。第２の圧縮モードの別の例（図示せず）によれば、通信リンク３２５および３３５を介して送信されるデータは、非圧縮されたままであり得る。
【００５８】
[0072]  図４に、本開示の様々な態様による、信頼できない送信モードのための発展型データ圧縮方式のためのプロセスフロー４００の一例を示す。プロセスフロー４００は、ＵＥ４１５と基地局４０５とを含み得、これらは、図１、図２、または図３を参照しながら上記で説明したＵＥ１１５、２１５、または３１５のうちの１つまたは複数と基地局１０５、２０５、または３０５のうちの１つまたは複数との例であり得る。プロセスフロー４００はまた、図２を参照しながら上記で説明したＡＰ２１０の一例であり得るＡＰ４１０を含み得る。プロセスフロー４００は、本開示で説明する方法の一例を表すが、他の例も実装され得る。たとえば、基地局４０５によって達成されるものとして説明されるステップは、ＵＥ４１５によって達成され得、その逆も同様である。
【００５９】
[0073]  ステップ４２０において、基地局４０５は、第１の圧縮モードを利用する第１のワイヤレス接続を介した送信のために第１のデータパケットを選択し得る。ステップ４２５において、基地局４０５は、第１の圧縮モードに従って第１のデータパケットを圧縮し得る。ステップ４３０において、基地局４０５は、第１の圧縮モードを利用する第１のワイヤレス接続を介してＵＥ４１５に第１のデータパケットを送信し得る。
【００６０】
[0074]  ステップ４３５において、基地局４０５とＵＥ４１５とは、第１のデータパケットに少なくとも部分的に基づいてバッファを更新し得る。ＵＥ４１５は、第１の圧縮モードに従って第１のデータパケットを圧縮解除し得る。ステップ４４０において、基地局４０５は、第２の圧縮モードを利用する第２のワイヤレス接続を介した送信のために第２のデータパケットを選択すること、ここにおいて、第２のデータパケットを選択することは、第２のワイヤレス接続が第１のワイヤレス接続よりも信頼できないことに少なくとも部分的に基づく、を行い得る。
【００６１】
[0075]  いくつかの例では、ステップ４４５において、基地局４０５は、ＡＰ４１０を通過するリンクの不信頼性（unreliability）に基づいて第２の圧縮モードに従って第２のデータパケットを圧縮し得る。しかしながら、いくつかの例では、第２のデータパケットは、非圧縮されたままであり得る。いくつかの例では、第１または第２の圧縮モードは、ヘッダ圧縮モードまたはヘッダ＋ペイロード圧縮モードを含み得る。
【００６２】
[0076]  いくつかの例では、ステップ４５０において、基地局４０５は、第２の圧縮モードを利用する第２のワイヤレス接続を介して第２のデータパケットを送信し得る。いくつかの例では、基地局４０５は、第２の圧縮モードに従って非圧縮形態で第２のデータパケットを送信し得る。いくつかの例では、基地局４０５はまた、バッファ更新がないことを示し得る第２のデータパケットに対応するバッファ更新バイパス指示（図示せず）を送信し得る。第２のデータパケット（および信頼できないリンクを介して送信される他のパケット）の選択は、圧縮データパケットと非圧縮データパケットとの比率または異なるリンクを介した帯域幅およびパケット優先度などの他のトラフィック状態に基づき得る。
【００６３】
[0077]  ステップ４５５において、第２のデータパケットは、ＡＰ４１０によって受信され、次いで、ＵＥ４１５にパスされ得る。それが圧縮されているのか圧縮されていないのかにかかわらず、第２のデータパケットは、バッファを更新するために使用されないことがある。すなわち、基地局４０５およびＵＥ４１５は、それがパケットを圧縮解除する場合でも、第２のデータパケットに基づいてバッファを更新することを控え得る。
【００６４】
[0078]  基地局４０５は、第１のデータパケットの圧縮ヘッダ中のパケットタイプフィールド中の第１の圧縮モードを示し得、また、第２のデータパケットの圧縮ヘッダ中のパケットタイプフィールド中の第２の圧縮モードを示し得る。
【００６５】
[0079]  ステップ４６０において、基地局４０５は、第１の圧縮モードを利用する第１のワイヤレス接続を介した送信のために第３のデータパケットを選択し得る。ステップ４６５において、基地局４０５は、（第２のデータパケットからのデータを含まない）更新されたバッファに少なくとも部分的に基づいて第１の圧縮モードに従って第３のデータパケットを圧縮し得る。
【００６６】
[0080]  ステップ４７０において、基地局４０５は、ＵＥ４１５に第３のデータパケットを送信し得、ＵＥ４１５は、更新されたバッファに基づいて第３のデータパケットを圧縮解除し得る。ステップ４７５において、基地局４０５とＵＥ４１５とは、第３のパケットに基づいてそれらのバッファを更新し得る。
【００６７】
[0081]  場合によっては、基地局４０５は、第３のデータパケットのシリアル番号を示す損失パケットメッセージをＵＥ４１５から受信し得、（たとえば、パケットデータコンバージェンスプロトコル（ＰＤＣＰ）を使用して）損失パケットメッセージに少なくとも部分的に基づいて第３のデータパケットを再送信し得る。場合によっては、各パケットは、受信バッファにおいてパケットを元の順番に戻すために使用され得るＰＤＣＰシーケンス番号（ＳＮ：sequence number）を有し得る。場合によっては、パケットが失われる場合、受信エンティティは損失ＰＤＣＰ  ＳＮを示すフィードバックを送信エンティティに送り得、送信機は、ＰＤＣＰ  ＰＤＵを再送信し得る。すべての前のシーケンス番号が受信され、圧縮解除される場合、受信機は、各受信された圧縮パケットに対して圧縮解除を実行し得る。
【００６８】
[0082]  場合によっては、基地局４０５は、第２のデータパケットについて失敗条件が満たされたと決定し得、失敗条件が満たされたという決定に少なくとも部分的に基づいて第１のワイヤレス接続を介して第２のデータパケットを再び送信し得る。いくつかの例では、失敗条件は、タイムアウトタイマを備える。いくつかの例では、失敗条件は、第２のデータパケットのシーケンス番号よりも大きいシーケンス番号をもつ第１のワイヤレス接続を介して送信されるいくつかのパケットを備える。
【００６９】
[0083]  図５に、本開示の様々な態様による、信頼できない送信モードのための発展型データ圧縮方式のために構成されたワイヤレスデバイス５００のブロック図を示す。ワイヤレスデバイス５００は、図１、図２、図３、または図４を参照しながら説明したＵＥ１１５、２１５、３１５、または４１５のうちの１つまたは複数あるいは基地局１０５、２０５、３０５、または４０５のうちの１つまたは複数の態様の一例であり得る。ワイヤレスデバイス５００は、受信機５０５と、発展型データ圧縮構成要素（evolved data compression component）５１０と、送信機５１５とを含み得る。ワイヤレスデバイス５００はまた、プロセッサを含み得る。これらの構成要素の各々は互いに通信していることがある。
【００７０】
[0084]  ワイヤレスデバイス５００の構成要素は、適用可能な機能の一部または全部をハードウェアで実施するように適応された少なくとも１つの特定用途向け集積回路（ＡＳＩＣ）を用いて、個々にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００７１】
[0085]  受信機５０５は、パケット、ユーザデータ、または様々な情報チャネルに関連する制御情報（たとえば、制御チャネル、データチャネル、および信頼できない送信モードのための発展型データ圧縮方式に関係する情報など）などの情報を受信し得る。情報は、発展型データ圧縮構成要素５１０に、およびワイヤレスデバイス５００の他の構成要素にパスされ得る。
【００７２】
[0086]  発展型データ圧縮構成要素５１０は、第１の圧縮モードを利用する第１のワイヤレス接続を介した送信のために第１のデータパケットを選択することと、第１の圧縮モードを利用する第１のワイヤレス接続を介して第１のデータパケットを送信することと、第２の圧縮モードを利用する第２のワイヤレス接続を介した送信のために第２のデータパケットを選択することと、ここにおいて、第２のデータパケットを選択することは、第２のワイヤレス接続が第１のワイヤレス接続よりも信頼できないことに少なくとも部分的に基づく、第２の圧縮モードを利用する第２のワイヤレス接続を介して第２のデータパケットを送信することとを行い得る。
【００７３】
[0087]  送信機５１５は、ワイヤレスデバイス５００の他の構成要素から受信された信号を送信し得る。いくつかの例では、送信機５１５は、トランシーバ構成要素中で受信機５０５とコロケートされ得る。送信機５１５は単一のアンテナを含み得るか、またはそれは複数のアンテナを含み得る。
【００７４】
[0088]  図６に、本開示の様々な態様による、信頼できない送信モードのための発展型データ圧縮方式のために構成されたワイヤレスデバイス６００のブロック図を示す。ワイヤレスデバイス６００は、図１、図２、図３、図５、または図５を参照しながら説明した基地局１０５、２０５、３０５、または４０５のうちの１つまたは複数の態様、ＵＥ１１５、２１５、３１５、または４１５のうちの１つまたは複数の態様、あるいはワイヤレスデバイス５００の態様の一例であり得る。ワイヤレスデバイス６００は、受信機６０５、発展型データ圧縮構成要素６１０、または送信機６１５を含み得る。ワイヤレスデバイス６００はまた、プロセッサを含み得る。これらの構成要素の各々は互いに通信していることがある。発展型データ圧縮構成要素６１０はまた、パケット選択構成要素（packet selection component）６２０と、第１の圧縮モード構成要素（first compression mode component）６２５と、第２の圧縮モード構成要素（second compression mode component）６３０とを含み得る。
【００７５】
[0089]  ワイヤレスデバイス６００の構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００７６】
[0090]  受信機６０５は、発展型データ圧縮構成要素６１５に、およびワイヤレスデバイス６００の他の構成要素にパスされ得る情報を受信し得る。発展型データ圧縮構成要素６１０は、図５を参照しながら上記で説明した動作を実行し得る。送信機６１５は、ワイヤレスデバイス６００の他の構成要素から受信された信号を送信し得る。
【００７７】
[0091]  パケット選択構成要素６２０は、図２、図３、または図４を参照しながら上記で説明したように、第１の圧縮モードを利用する第１のワイヤレス接続を介した送信のために第１のデータパケットを選択し得る。パケット選択構成要素６２０はまた、第２の圧縮モードを利用する第２のワイヤレス接続を介した送信のために第２のデータパケットを選択し得、ここにおいて、第２のデータパケットを選択することは、第２のワイヤレス接続が第１のワイヤレス接続よりも信頼できないことに少なくとも部分的に基づく。
【００７８】
[0092]  第１の圧縮モード構成要素６２５は、図２、図３、または図４を参照しながら上記で説明したように、第１の圧縮モードを利用する第１のワイヤレス接続を介して第１のデータパケットを送信し得る。いくつかの例では、第１の圧縮モードは、データパケットを圧縮することを備える。第１の圧縮モード構成要素６２５は、第１の圧縮モードに従って第１のデータパケットを圧縮し得る。いくつかの例では、第１の圧縮モードは、データパケットを圧縮することと、バッファを更新することとを備える。第１の圧縮モード構成要素６２５はまた、第１の圧縮モードを利用する第１のワイヤレス接続を介した送信のために第３のデータパケットを選択し得る。第１の圧縮モード構成要素６２５は、更新されたバッファと第２のデータパケットに基づいてバッファを更新することを控えることとに少なくとも部分的に基づいて第１の圧縮モードに従って第３のデータパケットを圧縮し得る。第１の圧縮モード構成要素６２５はまた、第１の圧縮モードを利用する第１のワイヤレス接続を介して第３のデータパケットを送信し得る。
【００７９】
[0093]  第１の圧縮モード構成要素６２５はまた、第１の圧縮モードを利用する第１のワイヤレス接続を介して送信機から第１のデータパケットを受信し得る。第１の圧縮モード構成要素６２５はまた、第１のデータパケットを圧縮解除し得る。いくつかの例では、第１の圧縮モードは、データパケットを圧縮することと、バッファを更新することとを備える。第１の圧縮モード構成要素６２５は、第１の圧縮モードに従って第１のデータパケットを圧縮解除し得る。第１の圧縮モード構成要素６２５はまた、第１の圧縮モードに基づいて第３のデータパケットを受信し得る。第１の圧縮モード構成要素６２５は、更新されたバッファと第２のデータパケットに基づいてバッファを更新することを控えることとに少なくとも部分的に基づいて第１の圧縮モードに従って第３のデータパケットを圧縮解除し得る。
【００８０】
[0094]  第２の圧縮モード構成要素６３０は、図２、図３、または図４を参照しながら上記で説明したように、第２の圧縮モードを利用する第２のワイヤレス接続を介して第２のデータパケットを送信し得る。いくつかの例では、第２の圧縮モードは、非圧縮データパケットを送信することを備える。一例では、これは、信頼できないＲＡＴ（たとえば、Ｗｉ−Ｆｉ）を介して非圧縮パケットを送信することを伴う。非圧縮パケットは、リンクがパケットを送信する容量を有するとき、信頼できないリンクを介して送信するように選択され得る。非圧縮パケットの送信はまた、送信機におけるタイムアウトタイマによって保護され得る。タイマが満了すると、非圧縮パケットは、利用可能なリソースに応じていずれかのリンクを介して送信され得る。いくつかの例では、第２の圧縮モードは、データパケットを圧縮することと、バッファを更新することを控えることとを備える。第２の圧縮モード構成要素６３０は、更新されたバッファに少なくとも部分的に基づいて第２の圧縮モードに従って第２のデータパケットを圧縮し得る。第２の圧縮モード構成要素６３０はまた、第２のデータパケットのコンテンツに基づいてバッファを更新することを控え得る。したがって、パケットが、失われるか、受信機に順序が乱れて（out of order）到着する場合、送信機と受信機との間の同期は失われないことがある。バッファ更新なしで圧縮されるパケットの比率は、信頼できるおよび信頼できないネットワーク（たとえば、ＬＴＥおよびＷｉ−Ｆｉ）インターフェース上で利用可能なリソースに関する情報を使用して計算され得る。第２の圧縮モード構成要素６３０はまた、第２のデータパケットに対応するバッファ更新バイパス指示を送信し得る。第２の圧縮モード構成要素６３０はまた、第２の圧縮モードを利用する第１のワイヤレス接続を介して第３のデータパケットを送信し得る。
【００８１】
[0095]  第２の圧縮モード構成要素６３０はまた、第２の圧縮モードを利用する第２のワイヤレス接続を介して送信機から第２のデータパケットを受信すること、ここにおいて、第２の圧縮モードは、第２のワイヤレス接続が第１のワイヤレス接続よりも信頼できないことに少なくとも部分的に基づく、を行い得る。いくつかの例では、第２のデータパケットを受信することは、非圧縮形態で第２のデータパケットを受信することを備える。第２の圧縮モード構成要素６３０は、更新されたバッファに少なくとも部分的に基づいて第２のデータパケットを圧縮解除し得る。第２の圧縮モード構成要素６３０は、第２のデータパケットに基づいてバッファを更新することを控え得る。第２の圧縮モード構成要素６３０はまた、第２の圧縮モードを利用する第１のワイヤレス接続を介して第３のデータパケットを受信し得る。
【００８２】
[0096]  図７に、発展型データ圧縮構成要素７１０のブロック図７００を示し、これは、本開示の様々な態様による、信頼できない送信モードのための発展型データ圧縮方式のために構成された、図５を参照しながら説明したワイヤレスデバイス５００または図６を参照しながら説明したワイヤレスデバイス６００の構成要素であり得る。発展型データ圧縮構成要素７１０は、図５または図６を参照しながら説明した発展型データ圧縮構成要素５１０または発展型データ圧縮構成要素６１０の態様の一例であり得る。発展型データ圧縮構成要素７１０は、パケット選択構成要素７２０と、第１の圧縮モード構成要素７２５と、第２の圧縮モード構成要素７３０とを含み得る。これらの構成要素の各々は、図６を参照しながら上記で説明した機能を実行し得る。発展型データ圧縮構成要素７１０はまた、圧縮バッファ７３５と、圧縮比構成要素（compression ratio component）７４０と、圧縮モード指示構成要素（compression mode indication component）７４５と、損失パケット構成要素（lost packet component）７５０と、第１の接続構成要素（first connection component）７５５と、第２の接続構成要素（second connection component）７６０と、圧縮解除バッファ（decompression buffer）７６５とを含み得る。
【００８３】
[0097]  発展型データ圧縮構成要素７１０の構成要素は、適用可能な機能の一部または全部をハードウェアで実行するように適応された少なくとも１つのＡＳＩＣを用いて、個々にまたはまとめて実装され得る。代替的に、それらの機能は、少なくとも１つのＩＣ上で、１つまたは複数の他の処理ユニット（またはコア）によって実行され得る。他の例では、当技術分野で知られている任意の様式でプログラムされ得る、他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００８４】
[0098]  圧縮バッファ７３５は、図２、図３、または図４に関して上記で説明したように、第１のデータパケットに少なくとも部分的に基づいてバッファを更新し得る。圧縮比構成要素７４０は、図２、図３、または図４に関して上記で説明したように、圧縮データパケットと非圧縮データパケットとの比率に少なくとも部分的に基づいて第２のデータパケットイズを選択し得る。
【００８５】
[0099]  圧縮モード指示構成要素７４５は、図２、図３、または図４に関して上記で説明したように、第１のデータパケットの圧縮ヘッダ中のパケットタイプフィールド中に第１の圧縮モードを示し得る。圧縮モード指示構成要素７４５はまた、第２のデータパケットの圧縮ヘッダ中のパケットタイプフィールド中に第２の圧縮モードを示し得る。圧縮モード指示構成要素７４５はまた、第１のデータパケットの圧縮ヘッダ中のパケットタイプフィールドに少なくとも部分的に基づいて第１の圧縮モードを識別し得る。圧縮モード指示構成要素７４５はまた、第２のデータパケットの圧縮ヘッダ中のパケットタイプフィールドに少なくとも部分的に基づいて第２の圧縮モードを識別し得る。
【００８６】
[0100]  損失パケット構成要素７５０は、第３のデータパケットが失われたと決定し得る。損失パケット構成要素７５０は、図２、図３、または図４に関して上記で説明したように、第３のデータパケットのシリアル番号を示す損失パケットメッセージを受信し得る。損失パケット構成要素７５０はまた、ＰＤＣＰを使用して損失パケットメッセージに少なくとも部分的に基づいて第３のデータパケットを再送信し得る。損失パケット構成要素７５０はまた、第３のデータパケットのシリアル番号を示す損失パケットメッセージをアクセスネットワークに送信し得る。損失パケット構成要素７５０はまた、ＰＤＣＰを使用して損失パケットメッセージに少なくとも部分的に基づいて第３のデータパケットに対応する再送信を受信し得る。
【００８７】
[0101]  第１の接続構成要素７５５は、図２、図３、または図４に関して上記で説明したように、送信機との第１のワイヤレス接続を確立し得る。場合によっては、第１のワイヤレス接続は、直接ワイヤレス接続である。第２の接続構成要素７６０は、送信機との第２のワイヤレス接続を確立し得、ここにおいて、第２のワイヤレス接続は、図２、図３、または図４に関して上記で説明したように、第１のワイヤレス接続よりも信頼できない。場合によっては、第２のワイヤレス接続は、（たとえば、Ｗｉ−Ｆｉネットワークを介した）間接ワイヤレス接続である。圧縮解除バッファ７６５は、図２、図３、または図４に関して上記で説明したように、第１のデータパケットに少なくとも部分的に基づいてバッファを更新し得る。
【００８８】
[0102]  図８に、本開示の様々な態様による、信頼できない送信モードのための発展型データ圧縮方式のために構成されたＵＥ８１５を含むシステム８００のブロック図を示す。システム８００は、図１、図２、図３、図４、図５、図６、または図７に関して上記で説明したワイヤレスデバイス５００、ワイヤレスデバイス６００、またはＵＥ１１５、２１５、３１５、または４１５のうちの１つまたは複数の態様の一例であり得るＵＥ８１５を含み得る。ＵＥ８１５は、発展型データ圧縮構成要素８１０を含み得、これは、図５、図６、または図７を参照しながら説明した発展型データ圧縮構成要素５１０、６１０、または７１０の一例であり得る。ＵＥ８１５はまた、送信失敗構成要素（transmission failure component）８４０を含み得る。ＵＥ８１５は、通信を送信するための構成要素と通信を受信するための構成要素とを含む、双方向音声およびデータ通信のための構成要素をも含み得る。たとえば、ＵＥ８１５は、基地局８０５またはＡＰ８１０と双方向に通信し得る。
【００８９】
[0103]  送信失敗構成要素８４０は、図２、図３、または図４に関して上記で説明したように、第２のデータパケットについて失敗条件が満たされたと決定し得る。送信失敗構成要素８４０はまた、失敗条件が満たされたという決定に少なくとも部分的に基づいて第１のワイヤレス接続を介して第２のデータパケットを送信し得る。いくつかの例では、失敗条件は、タイムアウトタイマを備える。いくつかの例では、失敗条件は、第２のデータパケットのシーケンス番号よりも大きいシーケンス番号をもつ第１のワイヤレス接続を介して送信されるいくつかのパケットを備える。
【００９０】
[0104]  ＵＥ８１５は、プロセッサ構成要素８２０と、（ソフトウェア（ＳＷ）８３５を含む）メモリ８３０と、トランシーバ構成要素８５０と、１つまたは複数のアンテナ８５５とをも含み得、その各々は、（たとえば、バス８６０を介して）直接または間接的に、互いに通信し得る。トランシーバ構成要素８５０は、上記で説明したように、アンテナ８５５あるいはワイヤードリンクまたはワイヤレスリンクを介して、１つまたは複数のネットワークと双方向に通信し得る。たとえば、トランシーバ構成要素８５０は、図１、図２、図３、または図３を参照しながら説明した基地局１０５、２０５、３０５、または４０５のうちの１つまたは複数と双方向に通信し得、あるいは図１、図２、図３、または図４を参照しながら説明した１つまたは複数のＵＥ１１５、２１５、３１５、または４１５の別の１つと双方向に通信し得る。トランシーバ構成要素８３５は、パケットを変調し、変調されたパケットを送信のためにアンテナ８５５に与え、アンテナ８５５から受信されたパケットを復調するためのモデムを含み得る。ＵＥ８１５は、単一のアンテナを含み得るが、ＵＥ８１５はまた、複数のワイヤレス送信を同時に送信または受信することが可能な複数のアンテナ８５５を有し得る。
【００９１】
[0105]  メモリ８３０は、ランダムアクセスメモリ（ＲＡＭ）と読取り専用メモリ（ＲＯＭ）とを含み得る。メモリ８８３０は、実行されたとき、プロセッサ構成要素８２０に本明細書で説明する様々な機能（たとえば、信頼できない送信モードのための発展型データ圧縮方式など）を実行させる命令を含むコンピュータ可読、コンピュータ実行可能ソフトウェア／ファームウェアコード８３５を記憶し得る。代替的に、ソフトウェア／ファームウェアコード８３５は、プロセッサ構成要素８２０によって直接的に実行可能でないことがあるが、（たとえば、コンパイルされ実行されたとき）コンピュータに本明細書で説明する機能を実行させ得る。プロセッサ構成要素８２０は、インテリジェントハードウェアデバイス、（たとえば、中央処理ユニット（ＣＰＵ）、マイクロコントローラ、ＡＳＩＣなど）を含み得る。
【００９２】
[0106]  図９に、本開示の様々な態様による、信頼できない送信モードのための発展型データ圧縮方式のために構成された基地局９０５を含むシステム９００のブロック図を示す。システム９００は、図１、図２、図３、図４、図５、図６、または図８に関して上記で説明したワイヤレスデバイス５００、ワイヤレスデバイス６００、または基地局１０５、２０５、３０５、または４０５のうちの１つまたは複数の態様の一例であり得る基地局９０５を含み得る。基地局９０５は、基地局発展型データ圧縮構成要素９２５を含み得、これは、図５、図６、または図７を参照しながら説明した発展型データ圧縮構成要素の一例であり得る。基地局９０５は、通信を送信するための構成要素と通信を受信するための構成要素とを含む、双方向音声およびデータ通信のための構成要素をも含み得る。たとえば、基地局９０５は、ＡＰ９１０またはＵＥ９１５と双方向に通信し得る。
【００９３】
[0107]  場合によっては、基地局９０５は、１つまたは複数のワイヤードバックホールリンクを有し得る。基地局９０５は、コアネットワーク９３０へのワイヤードバックホールリンク（たとえば、Ｓ１インターフェースなど）を有し得る。基地局９０５はまた、基地局間バックホールリンク（たとえば、Ｘ２インターフェース）を介して、基地局９０５−ａおよび基地局９０５−ｂなど、他の基地局と通信し得る。１つまたは複数の基地局９０５の各々は、同じまたは異なるワイヤレス通信技術を使用して１つまたは複数のＵＥと通信し得る。場合によっては、基地局９０５は、基地局通信構成要素９２５を利用して、基地局９０５−ａまたは基地局９０５−ｂなどの他の基地局と通信し得る。いくつかの例では、基地局通信構成要素９２５は、基地局のいくつかの間の通信を行うために、ＬＴＥ／ＬＴＥ−Ａワイヤレス通信ネットワーク技術内のＸ２インターフェースを与え得る。いくつかの例では、基地局９０５は、コアネットワーク９３０を通して他の基地局と通信し得る。場合によっては、基地局９０５は、ネットワーク通信構成要素９３０を通してコアネットワーク９３０と通信し得る。
【００９４】
[0108]  基地局９０５は、プロセッサ構成要素９３５と、（ソフトウェア（ＳＷ）９５０を含む）メモリ９４５と、トランシーバ構成要素９６５と、アンテナ９７０とを含み得、その各々は、（たとえば、バスシステム９７５を介して）直接または間接的に、互いに通信し得る。トランシーバ構成要素９６５は、マルチモードデバイスであり得る、図１、図２、図３、または図４を参照しながら説明したＵＥ１１５、２１５、３１５、または４１５のうちの１つまたは複数あるいは図２、図４、または図８を参照しながら説明したＡＰ２１０、４１０、または８１０のうちの１つまたは複数など、１つまたは複数のＵＥまたはＡＰと、アンテナ９７０を介して双方向に通信するように構成され得る。トランシーバ構成要素９６５（または基地局９０５の他の構成要素）はまた、アンテナ９７０を介して、１つまたは複数の他の基地局（図示せず）と双方向に通信するように構成され得る。トランシーバ構成要素９６５は、パケットを変調し、変調されたパケットを送信のためにアンテナ９７０に与え、アンテナ９７０から受信されたパケットを復調するように構成されたモデムを含み得る。基地局９０５は、各々が１つまたは複数の関連付けられたアンテナ９７０をもつ複数のトランシーバ構成要素９６５を含み得る。トランシーバ構成要素は、図５の組み合わされた受信機５０５および送信機５１５の一例であり得る。
【００９５】
[0109]  メモリ９４５はＲＡＭとＲＯＭとを含み得る。メモリ９４５はまた、実行されたとき、プロセッサ構成要素９３５に、本明細書で説明する様々な機能（たとえば、信頼できない送信モードのための発展型データ圧縮方式、カバレージ拡張技法を選択すること、呼処理、データベース管理、メッセージルーティングなど）を実行させるように構成された命令を含んでいるコンピュータ可読、コンピュータ実行可能ソフトウェアコード９５０を記憶し得る。代替的に、ソフトウェア９５０は、プロセッサ構成要素９３５によって直接的に実行可能でないことがあるが、たとえば、コンパイルされ実行されたときコンピュータに本明細書で説明する機能を実行させるように構成され得る。プロセッサ構成要素９３５は、インテリジェントハードウェアデバイス、たとえば、ＣＰＵ、マイクロコントローラ、ＡＳＩＣなどを含み得る。プロセッサ構成要素９３５は、エンコーダ、キュー処理構成要素、ベースバンドプロセッサ、無線ヘッドコントローラ、デジタル信号プロセッサ（ＤＳＰ）など、様々な専用プロセッサを含み得る。
【００９６】
[0110]  基地局通信構成要素９２５は、基地局９０５−ａおよび基地局９０５−ｂなどの他の基地局との通信を管理し得る。通信管理構成要素は、他の基地局と協働してＵＥとの通信を制御するためのコントローラまたはスケジューラを含み得る。たとえば、基地局通信構成要素９２５は、ビームフォーミングまたはジョイント送信（beamforming or joint transmission）などの様々な干渉緩和技法について図１、図２、図３、または図４を参照しながら説明したＵＥ１１５、２１５、３１５、または４１５のうちの１つまたは複数への送信のスケジューリングを協調させ得る。
【００９７】
[0111]  図１０に、本開示の様々な態様による、信頼できない送信モードのための発展型データ圧縮方式のための方法１０００を示すフローチャートを示す。方法１０００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、または図９に関して説明したそれらの構成要素によって実施され得る。たとえば、方法１０００の動作は、図５、図６、図７、図８、または図９を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。
【００９８】
[0112]  ブロック１００５において、方法１０００は、図２、図３、または図４を参照しながら上記で説明したように、第１の圧縮モードを利用する第１のワイヤレス接続を介した送信のために第１のデータパケットを選択することを含み得る。いくつかの例では、ブロック１００５の動作は、図６を参照しながら上記で説明したようにパケット選択構成要素６２０によって実行され得る。
【００９９】
[0113]  ブロック１０１０において、方法１０００は、図２、図３、または図４を参照しながら上記で説明したように、第１の圧縮モードを利用する第１のワイヤレス接続を介して第１のデータパケットを送信することを含み得る。いくつかの例では、ブロック１０１０の動作は、図６を参照しながら上記で説明したように第１の圧縮モード構成要素６２５によって実行され得る。
【０１００】
[0114]  ブロック１０１５において、方法１０００は、第２の圧縮モードを利用する第２のワイヤレス接続を介した送信のために第２のデータパケットを選択すること、ここにおいて、第２のデータパケットを選択することは、図２、図３、または図４に関して上記で説明したように、第２のワイヤレス接続が第１のワイヤレス接続よりも信頼できないことに少なくとも部分的に基づく、を行うことを含み得る。いくつかの例では、ブロック１０１５の動作は、図６を参照しながら上記で説明したようにパケット選択構成要素６２０によって実行され得る。
【０１０１】
[0115]  ブロック１０２０において、方法１０００は、図２、図３、または図４を参照しながら上記で説明したように、第２の圧縮モードを利用する第２のワイヤレス接続を介して第２のデータパケットを送信することを含み得る。いくつかの例では、ブロック１０２０の動作は、図６を参照しながら上記で説明したように第２の圧縮モード構成要素６３０によって実行され得る。
【０１０２】
[0116]  図１１に、本開示の様々な態様による、信頼できない送信モードのための発展型データ圧縮方式のための方法１１００を示すフローチャートを示す。方法１１００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、または図９に関して説明したそれらの構成要素によって実施され得る。たとえば、方法１１００の動作は、図５、図６、図７、または図８を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。方法１１００はまた、図１０の方法１０００の態様を組み込み得る。
【０１０３】
[0117]  ブロック１１０５において、方法１１００は、図２、図３、または図４を参照しながら上記で説明したように、第１の圧縮モードを利用する第１のワイヤレス接続を介した送信のために第１のデータパケットを選択することを含み得る。場合によっては、第１の圧縮モードは、データパケットを圧縮することを備える。いくつかの例では、ブロック１１０５の動作は、図６を参照しながら上記で説明したようにパケット選択構成要素６２０によって実行され得る。
【０１０４】
[0118]  ブロック１１１０において、方法１１００は、図２、図３、または図４を参照しながら上記で説明したように、第１の圧縮モードに従って第１のデータパケットを圧縮することを含み得る。いくつかの例では、ブロック１１１０の動作は、図６を参照しながら上記で説明したように第１の圧縮モード構成要素６２５によって実行され得る。
【０１０５】
[0119]  ブロック１１１５において、方法１１００は、図２、図３、または図４を参照しながら上記で説明したように、第１の圧縮モードを利用する第１のワイヤレス接続を介して第１のデータパケットを送信することを含み得る。いくつかの例では、ブロック１１１５の動作は、図６を参照しながら上記で説明したように第１の圧縮モード構成要素６２５によって実行され得る。
【０１０６】
[0120]  ブロック１１２０において、方法１１００は、第２の圧縮モードを利用する第２のワイヤレス接続を介した送信のために第２のデータパケットを選択すること、ここにおいて、第２のデータパケットを選択することは、図２、図３、または図４に関して上記で説明したように、第２のワイヤレス接続が第１のワイヤレス接続よりも信頼できないことに少なくとも部分的に基づく、を行うことを含み得る。場合によっては、第２の圧縮モードは、非圧縮データパケットを送信することを備える。いくつかの例では、ブロック１１２０の動作は、図６を参照しながら上記で説明したようにパケット選択構成要素６２０によって実行され得る。
【０１０７】
[0121]  ブロック１１２５において、方法１１００は、図２、図３、または図４を参照しながら上記で説明したように、第２の圧縮モードを利用する第２のワイヤレス接続を介して第２のデータパケットを送信することを含み得る。いくつかの例では、ブロック１１２５の動作は、図６を参照しながら上記で説明したように第２の圧縮モード構成要素６３０によって実行され得る。
【０１０８】
[0122]  ブロック１１３０において、方法１１００は、図２、図３、または図４を参照しながら上記で説明したように、第２の圧縮モードに従って非圧縮形態で第２のデータパケットを送信することを含み得る。いくつかの例では、ブロック１１３０の動作は、図５を参照しながら上記で説明したように送信機５１５によって実行され得る。
【０１０９】
[0123]  図１２に、本開示の様々な態様による、信頼できない送信モードのための発展型データ圧縮方式のための方法１２００を示すフローチャートを示す。方法１２００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、図９に関して説明したそれらの構成要素によって実施され得る。たとえば、方法１２００の動作は、図５、図６、図７、または図８を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。方法１２００はまた、図１０〜図１１の方法１０００、および１１００の態様を組み込み得る。
【０１１０】
[0124]  ブロック１２０５において、方法１２００は、図２、図３、または図４を参照しながら上記で説明したように、第１の圧縮モードを利用する第１のワイヤレス接続を介した送信のために第１のデータパケットを選択することを含み得る。いくつかの例では、第１の圧縮モードは、データパケットを圧縮することと、バッファを更新することとを備える。いくつかの例では、ブロック１２０５の動作は、図６を参照しながら上記で説明したようにパケット選択構成要素６２０によって実行され得る。
【０１１１】
[0125]  ブロック１２１０において、方法１２００は、図２、図３、または図４を参照しながら上記で説明したように、第１の圧縮モードに従って第１のデータパケットを圧縮することを含み得る。いくつかの例では、ブロック１２１０の動作は、図６を参照しながら上記で説明したように第１の圧縮モード構成要素６２５によって実行され得る。
【０１１２】
[0126]  ブロック１２１５において、方法１２００は、図２、図３、または図４に関して上記で説明したように、第１のデータパケットに少なくとも部分的に基づいてバッファを更新することを含み得る。いくつかの例では、ブロック１２１５の動作は、図７を参照しながら上記で説明したように圧縮バッファ７３５によって実行され得る。
【０１１３】
[0127]  ブロック１２２０において、方法１２００は、図２、図３、または図４を参照しながら上記で説明したように、第１の圧縮モードを利用する第１のワイヤレス接続を介して第１のデータパケットを送信することを含み得る。いくつかの例では、ブロック１２２０の動作は、図６を参照しながら上記で説明したように第１の圧縮モード構成要素６２５によって実行され得る。
【０１１４】
[0128]  ブロック１２２５において、方法１２００は、第２の圧縮モードを利用する第２のワイヤレス接続を介した送信のために第２のデータパケットを選択すること、ここにおいて、第２のデータパケットを選択することは、図２、図３、または図４に関して上記で説明したように、第２のワイヤレス接続が第１のワイヤレス接続よりも信頼できないことに少なくとも部分的に基づく、を行うことを含み得る。いくつかの例では、第２の圧縮モードは、データパケットを圧縮することと、バッファを更新することを控えることとを備える。いくつかの例では、ブロック１２２５の動作は、図６を参照しながら上記で説明したようにパケット選択構成要素６２０によって実行され得る。
【０１１５】
[0129]  ブロック１２３０において、方法１２００は、図２、図３、または図４を参照しながら上記で説明したように、更新されたバッファに少なくとも部分的に基づいて第２の圧縮モードに従って第２のデータパケットを圧縮することを含み得る。いくつかの例では、ブロック１２３０の動作は、図６を参照しながら上記で説明したように第２の圧縮モード構成要素６３０によって実行され得る。
【０１１６】
[0130]  ブロック１２３５において、方法１２００は、図２、図３、または図４を参照しながら上記で説明したように、第２のデータパケットに基づいてバッファを更新することを控えることを含み得る。いくつかの例では、ブロック１２３５の動作は、図６を参照しながら上記で説明したように第２の圧縮モード構成要素６３０によって実行され得る。
【０１１７】
[0131]  ブロック１２４０において、方法１２００は、図２、図３、または図４を参照しながら上記で説明したように、第２の圧縮モードを利用する第２のワイヤレス接続を介して第２のデータパケットを送信することを含み得る。いくつかの例では、ブロック１２４０の動作は、図６を参照しながら上記で説明したように第２の圧縮モード構成要素６３０によって実行され得る。
【０１１８】
[0132]  ブロック１２４５において、方法１２００は、図２、図３、または図４を参照しながら上記で説明したように、第１の圧縮モードを利用する第１のワイヤレス接続を介した送信のために第３のデータパケットを選択することを含み得る。いくつかの例では、ブロック１２４５の動作は、図６を参照しながら上記で説明したように第１の圧縮モード構成要素６２５によって実行され得る。
【０１１９】
[0133]  ブロック１２５０において、方法１２００は、図２、図３、または図４を参照しながら上記で説明したように、更新されたバッファと第２のデータパケットに基づいてバッファを更新することを控えることとに少なくとも部分的に基づいて第１の圧縮モードに従って第３のデータパケットを圧縮することを含み得る。いくつかの例では、ブロック１２５０の動作は、図６を参照しながら上記で説明したように第１の圧縮モード構成要素６２５によって実行され得る。
【０１２０】
[0134]  図１３に、本開示の様々な態様による、信頼できない送信モードのための発展型データ圧縮方式のための方法１３００を示すフローチャートを示す。方法１３００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、または図９に関して説明したそれらの構成要素によって実施され得る。たとえば、方法１３００の動作は、図５、図６、図７、または図８を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。方法１３００はまた、図１０〜図１２の方法１０００、１１００、および１２００の態様を組み込み得る。
【０１２１】
[0135]  ブロック１３０５において、方法１３００は、図２、図３、または図４に関して上記で説明したように、送信機との第１のワイヤレス接続を確立することを含み得る。いくつかの例では、ブロック１３０５の動作は、図７を参照しながら上記で説明したように第１の接続構成要素７５５によって実行され得る。
【０１２２】
[0136]  ブロック１３１０において、方法１３００は、送信機との第２のワイヤレス接続を確立すること、ここにおいて、第２のワイヤレス接続は、図２、図３、または図４に関して上記で説明したように、第１のワイヤレス接続よりも信頼できない、を行うことを含み得る。いくつかの例では、ブロック１３１０の動作は、図７を参照しながら上記で説明したように第２の接続構成要素７６０によって実行され得る。
【０１２３】
[0137]  ブロック１３１５において、方法１３００は、図２、図３、または図４を参照しながら上記で説明したように、第１の圧縮モードを利用する第１のワイヤレス接続を介して送信機から第１のデータパケットを受信することを含み得る。いくつかの例では、ブロック１３１５の動作は、図６を参照しながら上記で説明したように第１の圧縮モード構成要素６２５によって実行され得る。
【０１２４】
[0138]  ブロック１３２０において、方法１３００は、第２の圧縮モードを利用する第２のワイヤレス接続を介して送信機から第２のデータパケットを受信すること、ここにおいて、第２の圧縮モードは、図２、図３、または図４に関して上記で説明したように、第２のワイヤレス接続が第１のワイヤレス接続よりも信頼できないことに少なくとも部分的に基づく、を行うことを含み得る。いくつかの例では、ブロック１３２０の動作は、図６を参照しながら上記で説明したように第２の圧縮モード構成要素６３０によって実行され得る。
【０１２５】
[0139]  図１４に、本開示の様々な態様による、信頼できない送信モードのための発展型データ圧縮方式のための方法１４００を示すフローチャートを示す。方法１４００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、または図９に関して説明したそれらの構成要素によって実施され得る。たとえば、方法１４００の動作は、図５、図６、図７、または図８を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。方法１４００はまた、図１０〜図１３の方法１０００、１１００、１２００、および１３００の態様を組み込み得る。
【０１２６】
[0140]  ブロック１４０５において、方法１４００は、図２、図３、または図４に関して上記で説明したように、送信機との第１のワイヤレス接続を確立することを含み得る。いくつかの例では、第１の圧縮モードは、データパケットを圧縮することを備える。いくつかの例では、ブロック１４０５の動作は、図７を参照しながら上記で説明したように第１の接続構成要素７５５によって実行され得る。
【０１２７】
[0141]  ブロック１４１０において、方法１４００は、送信機との第２のワイヤレス接続を確立すること、ここにおいて、第２のワイヤレス接続は、図２、図３、または図４に関して上記で説明したように、第１のワイヤレス接続よりも信頼できない、を行うことを含み得る。いくつかの例では、ブロック１４１０の動作は、図７を参照しながら上記で説明したように第２の接続構成要素７６０によって実行され得る。
【０１２８】
[0142]  ブロック１４１５において、方法１４００は、図２、図３、または図４を参照しながら上記で説明したように、第１の圧縮モードを利用する第１のワイヤレス接続を介して送信機から第１のデータパケットを受信することを含み得る。いくつかの例では、ブロック１４１５の動作は、図６を参照しながら上記で説明したように第１の圧縮モード構成要素６２５によって実行され得る。
【０１２９】
[0143]  ブロック１４２０において、方法１４００は、図２、図３、または図４を参照しながら上記で説明したように、第１のデータパケットを圧縮解除することを含み得る。いくつかの例では、ブロック１４２０の動作は、図６を参照しながら上記で説明したように第１の圧縮モード構成要素６２５によって実行され得る。
【０１３０】
[0144]  ブロック１４２５において、方法１４００は、第２の圧縮モードを利用する第２のワイヤレス接続を介して送信機から第２のデータパケットを受信すること、ここにおいて、第２の圧縮モードは、図２、図３、または図４に関して上記で説明したように、第２のワイヤレス接続が第１のワイヤレス接続よりも信頼できないことに少なくとも部分的に基づく、を行うことを含み得る。いくつかの例では、第２の圧縮モードは非圧縮データパケットを送信することを備え、第２のデータパケットを受信することは、非圧縮形態で第２のデータパケットを受信することを備える。いくつかの例では、ブロック１４２５の動作は、図６を参照しながら上記で説明したように第２の圧縮モード構成要素６３０によって実行され得る。
【０１３１】
[0145]  図１５に、本開示の様々な態様による、信頼できない送信モードのための発展型データ圧縮方式のための方法１５００を示すフローチャートを示す。方法１５００の動作は、図１、図２、図３、図４、図５、図６、図７、図８、または図９を参照しながら説明した基地局１０５、２０５、３０５、４０５、８０５、または９０５のうちの１つまたは複数、図１、図２、図３、図４、図５、図６、図７、図８または図９を参照しながら説明したＵＥ１１５、２１５、３１５、４１５、８１５、または９１５のうちの１つまたは複数、あるいは図１、図２、図３、図４、図５、図６、図７、図８、または図９に関して説明したそれらの構成要素によって実施され得る。たとえば、方法１５００の動作は、図５、図６、図７、または図８を参照しながら説明したように発展型データ圧縮構成要素５１０、６１０、７１０、８２５、または９２０によって実行され得る。いくつかの例では、基地局またはＵＥは、以下で説明する機能を実行するように基地局またはＵＥの機能要素を制御するためのコードのセットを実行し得る。追加または代替として、基地局またはＵＥは、専用ハードウェアを使用して、以下で説明する機能態様を実行し得る。方法１５００はまた、図１０〜図１４の方法１０００、１１００、１２００、１３００、および１４００の態様を組み込み得る。
【０１３２】
[0146]  ブロック１５０５において、方法１５００は、図２、図３、または図４に関して上記で説明したように、送信機との第１のワイヤレス接続を確立することを含み得る。いくつかの例では、第１の圧縮モードは、データパケットを圧縮することと、バッファを更新することとを備える。いくつかの例では、ブロック１５０５の動作は、図７を参照しながら上記で説明したように第１の接続構成要素７５５によって実行され得る。
【０１３３】
[0147]  ブロック１５１０において、方法１５００は、送信機との第２のワイヤレス接続を確立すること、ここにおいて、第２のワイヤレス接続は、図２、図３、または図４に関して上記で説明したように、第１のワイヤレス接続よりも信頼できない、を行うことを含み得る。いくつかの例では、ブロック１５１０の動作は、図７を参照しながら上記で説明したように第２の接続構成要素７６０によって実行され得る。
【０１３４】
[0148]  ブロック１５１５において、方法１５００は、図２、図３、または図４を参照しながら上記で説明したように、データパケットを圧縮することと、バッファを更新することとを含む第１の圧縮モードを利用する第１のワイヤレス接続を介して送信機から第１のデータパケットを受信することを含み得る。いくつかの例では、ブロック１５１５の動作は、図６を参照しながら上記で説明したように第１の圧縮モード構成要素６２５によって実行され得る。
【０１３５】
[0149]  ブロック１５２０において、方法１５００は、図２、図３、または図４を参照しながら上記で説明したように、第１の圧縮モードに従って第１のデータパケットを圧縮解除することを含み得る。いくつかの例では、ブロック１５２０の動作は、図６を参照しながら上記で説明したように第１の圧縮モード構成要素６２５によって実行され得る。
【０１３６】
[0150]  ブロック１５２５において、方法１５００は、図２、図３、または図４に関して上記で説明したように、第１のデータパケットに少なくとも部分的に基づいてバッファを更新することを含み得る。いくつかの例では、ブロック１５２５の動作は、図７を参照しながら上記で説明したように圧縮バッファ７３５によって実行され得る。
【０１３７】
[0151]  ブロック１５３０において、方法１５００は、第２の圧縮モードを利用する第２のワイヤレス接続を介して送信機から第２のデータパケットを受信することを含み得る。いくつかの例では、第２の圧縮モードは、データパケットを圧縮することと、バッファを更新することを控えることとを備え、ここにおいて、第２の圧縮モードは、図２、図３、または図４に関して上記で説明したように、第２のワイヤレス接続が第１のワイヤレス接続よりも信頼できないことに少なくとも部分的に基づく。いくつかの例では、ブロック１５３０の動作は、図６を参照しながら上記で説明したように第２の圧縮モード構成要素６３０によって実行され得る。
【０１３８】
[0152]  ブロック１５３５において、方法１５００は、図２、図３、または図４を参照しながら上記で説明したように、更新されたバッファに少なくとも部分的に基づいて第２のデータパケットを圧縮解除することを含み得る。いくつかの例では、ブロック１５３５の動作は、図６を参照しながら上記で説明したように第２の圧縮モード構成要素６３０によって実行され得る。
【０１３９】
[0153]  ブロック１５４０において、方法１５００は、図２、図３、または図４を参照しながら上記で説明したように、第２のデータパケットに基づいてバッファを更新することを控えることを含み得る。いくつかの例では、ブロック１５４０の動作は、図６を参照しながら上記で説明したように第２の圧縮モード構成要素６３０によって実行され得る。
【０１４０】
[0154]  ブロック１５４５において、方法１５００は、図２、図３、または図４を参照しながら上記で説明したように、第１の圧縮モードに基づいて第３のデータパケットを受信することを含み得る。いくつかの例では、ブロック１５４５の動作は、図６を参照しながら上記で説明したように第１の圧縮モード構成要素６２５によって実行され得る。
【０１４１】
[0155]  ブロック１５５０において、方法１５００は、図２、図３、または図４を参照しながら上記で説明したように、更新されたバッファと第２のデータパケットに基づいてバッファを更新することを控えることとに少なくとも部分的に基づいて第１の圧縮モードに従って第３のデータパケットを圧縮解除することを含み得る。いくつかの例では、ブロック１５５０の動作は、図６を参照しながら上記で説明したように第１の圧縮モード構成要素６２５によって実行され得る。
【０１４２】
[0156]  したがって、方法１０００、１１００、１２００、１３００、１４００、および１５００は、信頼できない送信モードのための発展型データ圧縮方式を与え得る。方法１０００、１１００、１２００、１３００、１４００、および１５００は可能な実装形態について説明していること、ならびに動作およびステップは、他の実装形態が可能であるように、並べ替えられるかまたは場合によっては変更され得ることに留意されたい。いくつかの例では、方法１０００、１１００、１２００、１３００、１４００、および１５００のうちの２つまたはそれ以上からの態様が組み合わされ得る。
【０１４３】
[0157]  添付の図面に関して上記に記載した詳細な説明は、例示的な例について説明しており、実装され得るまたは特許請求の範囲内に入るすべての例を表すとは限らない。この説明全体にわたって使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの特定の詳細を伴わずに実践され得る。いくつかの例では、説明される実施例の概念を不明瞭にすることを避けるために、周知の構造およびデバイスがブロック図形式で示される。
【０１４４】
[0158]  情報および信号は、様々な異なる技術および技法のいずれかを使用して表現され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４５】
[0159]  本明細書の開示に関して説明した様々な例示的なブロックおよび構成要素は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１４６】
[0160]  本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得るか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が単一のメンバーを含むそれらの項目の任意の組合せを指すような包括的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ．、ならびに複数の同じ要素を用いた任意の組合せ（たとえば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）を包含するものとする。
【０１４７】
[0161]  本明細書で使用する「に基づいて」という句は、条件の閉集合への言及と解釈してはならない。たとえば、「条件Ａに基づいて」と記述する例示的なステップは、本開示の範囲から逸脱することなく条件Ａと条件Ｂとの両方に基づき得る。言い換えれば、本明細書で使用する「に基づいて」という句は、「に少なくとも部分的に基づいて」という句と同様に解釈されたい。
【０１４８】
[0162]  コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４９】
[0163]  本開示の前述の説明は、当業者が本開示を作成または使用することができるように与えられたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【０１５０】
[0164]  本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書に記載された技法は、上述されたシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ワイヤレスデバイスにおける通信の方法であって、
第１の圧縮モードを利用する第１のワイヤレス接続を介した送信のために第１のデータパケットを選択することと、
前記第１の圧縮モードを利用する前記第１のワイヤレス接続を介して前記第１のデータパケットを送信することと、
第２の圧縮モードを利用する第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づく、
前記第２の圧縮モードを利用する前記第２のワイヤレス接続を介して前記第２のデータパケットを送信することと
を備える、方法。
[Ｃ２]  前記第１のワイヤレス接続が、ＬＴＥ接続であり、前記第２のワイヤレス接続が、Ｗｉ−Ｆｉ接続である、Ｃ１に記載の方法。
[Ｃ３]  前記第１の圧縮モードが、データパケットを圧縮することを備え、
前記第２の圧縮モードが、非圧縮データパケットを送信することを備える、Ｃ１に記載の方法。
[Ｃ４]  前記第１の圧縮モードに従って前記第１のデータパケットを圧縮することと、
前記第２の圧縮モードに従って非圧縮形態で前記第２のデータパケットを送信することと
をさらに備える、Ｃ３に記載の方法。
[Ｃ５]  前記第１の圧縮モードが、データパケットを圧縮することと、バッファを更新することとを備え、
前記第２の圧縮モードが、データパケットを圧縮することと、前記バッファを更新することを控えることとを備える、Ｃ１に記載の方法。
[Ｃ６]  前記第１の圧縮モードに従って前記第１のデータパケットを圧縮することと、
前記第１のデータパケットに少なくとも部分的に基づいて前記バッファを更新することと、
前記更新されたバッファに少なくとも部分的に基づいて前記第２の圧縮モードに従って前記第２のデータパケットを圧縮することと、
前記第２のデータパケットに基づいて前記バッファを更新することを控えることと、  前記第１の圧縮モードを利用する前記第１のワイヤレス接続を介した送信のために第３のデータパケットを選択することと、
前記更新されたバッファと前記第２のデータパケットに基づいて前記バッファを更新することを前記控えることとに少なくとも部分的に基づいて前記第１の圧縮モードに従って前記第３のデータパケットを圧縮することと
をさらに備える、Ｃ５に記載の方法。
[Ｃ７]  前記第２の圧縮モードが、ヘッダ圧縮モードまたはヘッダ＋ペイロード圧縮モードを備える、Ｃ５に記載の方法。
[Ｃ８]  前記第２のデータパケットに対応するバッファ更新バイパス指示を送信すること
をさらに備える、Ｃ５に記載の方法。
[Ｃ９]  前記第２の圧縮モードを利用する前記第１のワイヤレス接続を介して第３のデータパケットを送信すること
をさらに備える、Ｃ１に記載の方法。
[Ｃ１０]  前記第２のデータパケットを選択することが、圧縮データパケットと非圧縮データパケットとの比率に少なくとも部分的に基づく
をさらに備える、Ｃ１に記載の方法。
[Ｃ１１]  前記第１のデータパケットの圧縮ヘッダ中のパケットタイプフィールド中に前記第１の圧縮モードを示すこと
をさらに備える、Ｃ１に記載の方法。
[Ｃ１２]  前記第２のデータパケットの圧縮ヘッダ中のパケットタイプフィールド中に前記第２の圧縮モードを示すこと
をさらに備える、Ｃ１に記載の方法。
[Ｃ１３]  前記第１の圧縮モードを利用する前記第１のワイヤレス接続を介して第３のデータパケットを送信することと、
前記第３のデータパケットのシリアル番号を示す損失パケットメッセージを受信することと、
パケットデータコンバージェンスプロトコル（ＰＤＣＰ）を使用して前記損失パケットメッセージに少なくとも部分的に基づいて前記第３のデータパケットを再送信することと  をさらに備える、Ｃ１に記載の方法。
[Ｃ１４]  前記第２のデータパケットについて失敗条件が満たされたと決定することと、
前記失敗条件が満たされたという前記決定に少なくとも部分的に基づいて前記第１のワイヤレス接続を介して前記第２のデータパケットを送信することと
をさらに備える、Ｃ１に記載の方法。
[Ｃ１５]  前記失敗条件がタイムアウトタイマを備える、Ｃ１４に記載の方法。
[Ｃ１６]  前記失敗条件が、前記第２のデータパケットのシーケンス番号よりも大きいシーケンス番号をもつ前記第１のワイヤレス接続を介して送信されるいくつかのパケットを備える、Ｃ１４に記載の方法。
[Ｃ１７]  ワイヤレスデバイスにおける通信の方法であって、
送信機との第１のワイヤレス接続を確立することと、
前記送信機との第２のワイヤレス接続を確立することと、ここにおいて、前記第２のワイヤレス接続が、前記第１のワイヤレス接続よりも信頼できない、
第１の圧縮モードを利用する前記第１のワイヤレス接続を介して前記送信機から第１のデータパケットを受信することと、
第２の圧縮モードを利用する前記第２のワイヤレス接続を介して前記送信機から第２のデータパケットを受信することと、ここにおいて、前記第２の圧縮モードは、前記第２のワイヤレス接続が前記第１のワイヤレス接続よりも信頼できないことに少なくとも部分的に基づく、
を備える、方法。
[Ｃ１８]  前記第１のワイヤレス接続が、ＬＴＥ接続であり、前記第２のワイヤレス接続が、Ｗｉ−Ｆｉ接続である、Ｃ１７に記載の方法。
[Ｃ１９]  前記第１の圧縮モードが、データパケットを圧縮することを備え、
前記第２の圧縮モードが、非圧縮データパケットを送信することを備える、Ｃ１７に記載の方法。
[Ｃ２０]  前記第１のデータパケットが圧縮され、前記第２のデータパケットが圧縮されていない、
前記方法は、前記第１のデータパケットを圧縮解除することをさらに備え、
ここにおいて、前記第２のデータパケットを受信することが、
非圧縮形態で前記第２のデータパケットを受信すること
を備える、Ｃ１９に記載の方法。
[Ｃ２１]  前記第１の圧縮モードが、データパケットを圧縮することと、バッファを更新することとを備え、
前記第２の圧縮モードが、データパケットを圧縮することと、前記バッファを更新することを控えることとを備える、Ｃ１７に記載の方法。
[Ｃ２２]  前記第１の圧縮モードに従って前記第１のデータパケットを圧縮解除することと、
前記第１のデータパケットに少なくとも部分的に基づいて前記バッファを更新することと、
前記更新されたバッファに少なくとも部分的に基づいて前記第２のデータパケットを圧縮解除することと、
前記第２のデータパケットに基づいて前記バッファを更新することを控えることと、  前記第１の圧縮モードに基づいて第３のデータパケットを受信することと、
前記更新されたバッファと前記第２のデータパケットに基づいて前記バッファを更新することを前記控えることとに少なくとも部分的に基づいて前記第１の圧縮モードに従って前記第３のデータパケットを圧縮解除することと
をさらに備える、Ｃ２１に記載の方法。
[Ｃ２３]  前記第２の圧縮モードが、ヘッダ圧縮モードまたはヘッダ＋ペイロード圧縮モードを備える、Ｃ２１に記載の方法。
[Ｃ２４]  前記第２の圧縮モードを利用する前記第１のワイヤレス接続を介して第３のデータパケットを受信すること
をさらに備える、Ｃ１７に記載の方法。
[Ｃ２５]  前記第１のデータパケットの圧縮ヘッダ中のパケットタイプフィールドに少なくとも部分的に基づいて前記第１の圧縮モードを識別すること
をさらに備える、Ｃ１７に記載の方法。
[Ｃ２６]  前記第２のデータパケットの圧縮ヘッダ中のパケットタイプフィールドに少なくとも部分的に基づいて前記第２の圧縮モードを識別すること
をさらに備える、Ｃ１７に記載の方法。
[Ｃ２７]  第３のデータパケットが失われたと決定することと、
前記第３のデータパケットのシリアル番号を示す損失パケットメッセージをアクセスネットワークに送信することと、
ＰＤＣＰを使用して、前記損失パケットメッセージに少なくとも部分的に基づいて前記第３のデータパケットに対応する再送信を受信することと
をさらに備える、Ｃ１７に記載の方法。
[Ｃ２８]  ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
第１の圧縮モードを利用する第１のワイヤレス接続を介した送信のために第１のデータパケットを選択することと、
前記第１の圧縮モードを利用する前記第１のワイヤレス接続を介して前記第１のデータパケットを送信することと、
第２の圧縮モードを利用する第２のワイヤレス接続を介した送信のために第２のデータパケットを選択することと、ここにおいて、前記第２のデータパケットを選択することは、前記第２のワイヤレス接続が前記第１のワイヤレス接続よりも信頼できないことに少なくとも部分的に基づく、
前記第２の圧縮モードを利用する前記第２のワイヤレス接続を介して前記第２のデータパケットを送信することと
を行うために実行可能である、
を備える、装置。
[Ｃ２９]  前記第１のワイヤレス接続が、ＬＴＥ接続であり、前記第２のワイヤレス接続が、Ｗｉ−Ｆｉ接続である、Ｃ２８に記載の装置。
[Ｃ３０]  ワイヤレスデバイスにおける通信のための装置であって、
プロセッサと、
前記プロセッサと電子通信しているメモリと、
前記メモリに記憶された命令と、ここにおいて、前記命令が、前記プロセッサによって、
送信機との第１のワイヤレス接続を確立することと、
前記送信機との第２のワイヤレス接続を確立することと、ここにおいて、前記第２のワイヤレス接続が、前記第１のワイヤレス接続よりも信頼できない、
第１の圧縮モードを利用する前記第１のワイヤレス接続を介して前記送信機から第１のデータパケットを受信することと、
第２の圧縮モードを利用する前記第２のワイヤレス接続を介して前記送信機から第２のデータパケットを受信することと、ここにおいて、前記第２の圧縮モードは、前記第２のワイヤレス接続が前記第１のワイヤレス接続よりも信頼できないことに少なくとも部分的に基づく、
を行うために実行可能である、
を備える、装置。
【図１】
0006636517.tif 000002
【図２】
0006636517.tif 000003
【図３】
0006636517.tif 000004
【図４】
0006636517.tif 000005
【図５】
0006636517.tif 000006
【図６】
0006636517.tif 000007
【図７】
0006636517.tif 000008
【図８】
0006636517.tif 000009
【図９】
0006636517.tif 000010
【図１０】
0006636517.tif 000011
【図１１】
0006636517.tif 000012
【図１２】
0006636517.tif 000013
【図１３】
0006636517.tif 000014
【図１４】
0006636517.tif 000015
【図１５】
0006636517.tif 000016